(57)【要約】  本発明は、高分子を担持した生体吸収性架橋ポリマーであって、ポリマーが：（ｉ）少なくとも１つの式（Ｉ）（ＣＨ２＝ＣＲ１）ＣＯ−Ｋ［式中、Ｋは、Ｏ−Ｚ又はＮＨ−Ｚを示し、Ｚは、（ＣＲ２Ｒ３）ｍ−ＣＨ３、（ＣＨ２−ＣＨ２−Ｏ）ｍ−Ｈ、（ＣＨ２−ＣＨ２−Ｏ）ｍ−ＣＨ３、（ＣＨ２）ｍ−ＮＲ４Ｒ５（ｍは、１ないし３０の整数を示す。）を示し；Ｒ１、Ｒ２、Ｒ３、Ｒ４及びＲ５は、独立して、Ｈ又はＣ１−Ｃ６アルキルを示す。］のモノマー；および（ｉｉ）少なくとも１つの生体吸収性ブロック共重合体架橋剤を重合して得られ、高分子がタンパク質及び核酸からなる群から選ばれる、ポリマーに関する。【選択図】なし【特許請求の範囲】
【請求項１】
ポリマーが:
（ｉ）  少なくとも１つの式（Ｉ）：
（ＣＨ２＝ＣＲ１）ＣＯ−Ｋ  （Ｉ）
［式中、
Ｋは、Ｏ−Ｚ又はＮＨ−Ｚを示し、Ｚは、（ＣＲ２Ｒ３）ｍ−ＣＨ３、（ＣＨ２−ＣＨ２−Ｏ）ｍ−Ｈ、（ＣＨ２−ＣＨ２−Ｏ）ｍ−ＣＨ３、（ＣＨ２）ｍ−ＮＲ４Ｒ５（ｍは、１〜３０の整数を示す。）を示し；
Ｒ１、Ｒ２、Ｒ３、Ｒ４及びＲ５は、独立して、Ｈ又はＣ１−Ｃ６アルキルを示す。］のモノマー；および
（ｉｉ）  少なくとも１つの生体吸収性ブロック共重合体架橋剤
を重合して得られ、
高分子が、タンパク質及び核酸からなる群から選ばれる、高分子を担持した生体吸収性架橋ポリマー。
【請求項２】
生体吸収性ブロック共重合体架橋剤が、直鎖状であって、両末端が（ＣＨ２＝（ＣＲ６））−基（式中、Ｒ６が、独立して、Ｈ又はＣ１−Ｃ６アルキルを示す。）を示す、請求項１に記載のポリマー。
【請求項３】
生体吸収性ブロック共重合体架橋剤のブロックが、ポリエチレングリコール（ＰＥＧ）、ポリ−乳酸（ＰＬＡ）、ポリ−グリコール酸（ＰＧＡ）、ポリ−ラクチック−グリコール酸（ＰＬＧＡ）及びポリ（カプロラクトン）（ＰＣＬ）からなる群から選ばれる、請求項１又は２に記載のポリマー。
【請求項４】
生体吸収性ブロック共重合体架橋剤が、下記式（ＩＩ）：
（ＣＨ２＝ＣＲ７）ＣＯ−（Ｘｎ）ｊ−ＰＥＧｐ−Ｙｋ−ＣＯ−（ＣＲ８＝ＣＨ２）  （ＩＩ）
［式中：
Ｒ７及びＲ８は、独立して、Ｈ又はＣ１−Ｃ６アルキルを示し；
Ｘ及びＹは、独立して、ＰＬＡ、ＰＧＡ、ＰＬＧＡ又はＰＣＬを示し；
ｎ、ｐ及びｋは、それぞれ、Ｘ、ＰＥＧおよびＹの重合度を示し、ｎ及びｋは、独立して、１ないし１５０の整数であり、ｐは、１ないし１００の整数であり；
ｊは、０又は１を示す。］
のものである、請求項１ないし３の何れかに記載のポリマー。
【請求項５】
生体吸収性ブロック共重合体架橋剤が：
（ＣＨ２＝ＣＲ７）ＣＯ−ＰＬＡｎ−ＰＥＧｐ−ＰＬＡｋ−ＣＯ−（ＣＲ８＝ＣＨ２）、
（ＣＨ２＝ＣＲ７）ＣＯ−ＰＧＡｎ−ＰＥＧｐ−ＰＧＡｋ−ＣＯ−（ＣＲ８＝ＣＨ２）、
（ＣＨ２＝ＣＲ７）ＣＯ−ＰＬＧＡｎ−ＰＥＧｐ−ＰＬＧＡｋ−ＣＯ−（ＣＲ８＝ＣＨ２）、
（ＣＨ２＝ＣＲ７）ＣＯ−ＰＥＧｐ−ＰＬＡｋ−ＣＯ−（ＣＲ８＝ＣＨ２）、
（ＣＨ２＝ＣＲ７）ＣＯ−ＰＥＧｐ−ＰＧＡｋ−ＣＯ−（ＣＲ８＝ＣＨ２）、及び
（ＣＨ２＝ＣＲ７）ＣＯ−ＰＥＧｐ−ＰＬＧＡｋ−ＣＯ−（ＣＲ８＝ＣＨ２）
［各式中、Ｒ７、Ｒ８、ｎ、ｐ及びｋは、請求項４の定義の通り。］
からなる群から選ばれる式のものである、請求項１ないし４の何れかに記載のポリマー。
【請求項６】
式（Ｉ）のモノマーが、ｓｅｃ−ブチルアクリレート，ｎ−ブチルアクリレート、ｔ−ブチルアクリレート、ｔ−ブチルメタクリレート、メチルメタクリレート、Ｎ−ジメチル−アミノエチル（メチル）アクリレート、Ｎ，Ｎ−ジメチルアミノプロピル−（メタ）アクリレート、ｔ−ブチルアミノエチル（メチル）アクリレート、Ｎ，Ｎ−ジエチルアミノアクリレート、アクリレート終端ポリ（エチレンオキシド）、メタクリレート終端ポリ（エチレンオキシド）、メトキシポリ（エチレンオキシド）メタクリレート、ブトキシポリ（エチレンオキシド）メタクリレート、アクリレート終端ポリ（エチレングリコール）、メタクリレート終端ポリ（エチレングリコール）、メトキシポリ（エチレングリコール）メタクリレート、ブトキシポリ（エチレングリコール）メタクリレートからなる群から選ばれ、有利には、式（Ｉ）のモノマーがポリ（エチレングリコール）メチルエーテルメタクリレートである、請求項１ないし５の何れかに記載のポリマー。
【請求項７】
少なくとも１つの式（Ｉ）のモノマー、少なくとも１つの生体吸収性ブロック共重合体架橋剤、及びさらに少なくとも１つの連鎖移動剤を重合させて得られるポリマーであって、有利には、少なくとも１つの連鎖移動剤が、脂環式の又は脂肪族のチオール（通常、２個ないし約２４個の炭素原子を有し、アミノ、ヒドロキシ及びカルボキシからなる群から選ばれるさらなる官能基をさらに有していてもよい。）である、請求項１ないし６の何れかに記載のポリマー。
【請求項８】
少なくとも１つの式（Ｉ）のモノマー、少なくとも１つの生体吸収性ブロック共重合体架橋剤、（ｉｉｉ）必要に応じて少なくとも１つの請求項７に記載の連鎖移動剤、および（ｉｖ）さらに少なくとも１つの式（ＩＩＩ）：
【化１】
2014511427.tif 000022
［式中、
Ｒ６、Ｒ７、Ｒ８及びＲ９は、独立して、Ｈ又はＣ５−Ｃ７アリール基を示すか、あるいはＲ６及びＲ９が存在せず、Ｒ７及びＲ８が、それらが結合する炭素原子と一緒になって、Ｃ５−Ｃ７アリール基を形成し；
ｉ及びｊは、独立して、０ないし２から選ばれる整数を示し、有利には、ｉ及びｊが０および１から選ばれ、より有利には、ｉ＝ｊであり、なお一層有利には、ｉ＝ｊ＝１であり； 
ＸはＯを示すか、あるいはＸは存在せず、後者の場合、ＣＲ６Ｒ７及びＣＲ８Ｒ９は、単結合Ｃ−Ｃを介して結合している。］
のエキソメチレン基を有する環状モノマーを重合させることにより得られる、請求項１ないし７の何れかに記載のポリマー。
【請求項９】
少なくとも式（ＩＩＩ）の環状モノマーが、２−メチレン−１，３−ジオキソラン、２−メチレン−１，３−ジオキサン、２−メチレン−４−フェニル−１，３−ジオキソラン、２−メチレン−１，３−ジオキセパン、５，６−ベンゾ−２−メチレン−１，３ジオキセパン及び２−メチレン−１，３，６−トリオキソカンからなる群から選ばれ、有利には、２−メチレン−１，３−ジオキセパン、５，６−ベンゾ−２−メチレン−１，３ジオキセパン及び２−メチレン−１，３，６−トリオキソカンからなる群から選ばれる、請求項８に記載のポリマー。
【請求項１０】
少なくとも１つのモノマー、少なくとも１つの生体吸収性ブロック共重合体架橋剤、必要に応じて少なくとも１つの請求項７に記載の連鎖移動剤、必要に応じて少なくとも１つの請求項８及び９に記載のエキソメチレン基を有する環状モノマー、及び下記式（Ｖ）：
（ＣＨ２＝ＣＲ１１）ＣＯ−Ｍ−Ｆ    （Ｖ）
［式中：
Ｒ１１は、Ｈ又はＣ１−Ｃ６アルキルを示し；
Ｍは、単結合又は１ないし２０個の炭素原子を有するリンカー部分を示し；
Ｆは、１００個以下の原子を有する、電荷性、イオン性、親水性または疎水性の基を示す。］
の電荷性、イオン性、親水性または疎水性のモノマーである少なくとも１つのさらなるモノマーを重合させることにより得られる、請求項１ないし９の何れかに記載のポリマー。
【請求項１１】
Ｆが、ＣＯＯＨ、ＣＯＯ−、ＳＯ３Ｈ、ＳＯ３−、ＰＯ４Ｈ２、ＰＯ４Ｈ−、ＰＯ４２−、ＮＲ９Ｒ１０、ＮＲ９Ｒ１２Ｒ１０＋（式中、Ｒ９、Ｒ１２及びＲ１０は、独立して、Ｈ又はＣ１−Ｃ６アルキルを示す。）、Ｃ１−Ｃ２０アルキル基、Ｃ５−Ｃ２０アリール基、Ｏ、Ｎ又はＳからなる群から選ばれるヘテロ原子を含む（５〜３０員）ヘテロアリール基、Ｏ−Ｃ５−Ｃ２０アリール基及びＯ−（５〜３０員）ヘテロアリール基、クラウンエーテル及びシクロデキストリンからなる群から選ばれる、請求項１０に記載のポリマー。
【請求項１２】
高分子が、酵素、抗体、サイトカイン、成長因子、凝固因子、ホルモン（特に、成長ホルモン）、プラスミド、アンチセンスオリゴヌクレオチド、ｓｉＲＮＡ、リボザイム、ＤＮＡザイム、アプタマー、核酸を担持するためのカチオン性ポリマー（例、ポリ(アリルアミン塩酸塩)、ポリジアリルジメチルアンモニウム、ポリエチレンイミン、ポリ(Ｌ−リジン)、ポリドーパミン、キトサン及びポリアミドアミンデンドリマー）からなる群から選ばれ、有利には、抗炎症性タンパク質（例、インフリキシマブ及びリロナセプト）、骨形成タンパク質、血管新生因子（例、線維芽細胞増殖因子、血管内皮細胞増殖因子、およびＴＧＦ−ベータ）、血管新生阻害剤（例、ベバシズマブ又はペガプタニブ）からなる群から選ばれる、請求項１ないし１１の何れかに記載のポリマー。
【請求項１３】
フィルム状、発泡体、粒子（特に、球状粒子）、塊、糸状又はスポンジ状の形態である、請求項１ないし１２の何れかに記載のポリマー。
【請求項１４】
高分子を用いて予め形成されたポリマーを含浸する工程を含む、請求項１ないし１３の何れかに記載のポリマーの製造方法。
【請求項１５】
高分子を、架橋反応前に、請求項１ないし１３に記載のモノマー及び架橋剤を含む溶液と混合する工程を含む、請求項１ないし１３の何れかに記載のポリマーの製造方法。
【請求項１６】
医薬上許容される担体（有利には、注射投与を意図するもの）と共に、請求項１ないし１３の何れかに記載の少なくとも１つのポリマーを含む医薬組成物。
【請求項１７】
（ａ）直径５０ないし５００μｍの球面形状を有し、２日ないし３週間の吸収時間を有する、請求項１ないし１３の何れかに記載されるようにして得られるポリマー；
（ｂ）直径５０ないし５００μｍの球面形状を有し、１ないし３カ月の吸収時間を有する、請求項１ないし１３の何れかに記載されるようにして得られるポリマー；および
（ｃ）少なくとも１つの医薬上許容される賦形剤
を含み、ポリマー（ａ）又は（ｂ）の少なくとも１つが、請求項１ないし１３の何れかに記載の高分子を担持している、注射用医薬組成物。
【請求項１８】
ポリマー（ａ）及び（ｂ）の球状粒子が、同一の直径を有さず、有利には、ポリマー（ａ）の球状粒子の直径が１００ないし３００μｍであり、（ｂ）の球状粒子の直径が３００ないし５００μｍである、請求項１７に記載の組成物。
【請求項１９】
請求項１ないし１３の何れかに記載のポリマー又は請求項１６ないし１８の何れかに記載の組成物を含むインプラント。
【請求項２０】
組織、脳、脊髄、骨欠損、身体の解剖学的スペース、体腔、管及び血管（有利には、顔面組織）に移植するための、請求項１９に記載のインプラント。
【請求項２１】
しわ、小じわ、皮膚のひび割れ、皮膚のくぼみ, リポジストロフィー, 顔面半側萎縮症及び／又は傷跡（特に、ニキビ痕）の充填及び／又はカモフラージュ及び／又は修正、及び／又は皮膚の凹凸を平滑化するための、及び／又は細胞培養及び／又は再生医療のためのマトリクスとしての、請求項１９または２０の何れかに記載のインプラントの使用、請求項１ないし１３の何れかに記載のポリマーの使用または請求項１６ないし１８の何れかに記載の組成物の使用。
【請求項２２】
医薬品（有利には、皮膚老化の修復のため、及び／又は創傷治癒のため、及び／又は組織再構築のため、及び／又は軟組織の修復のため、及び／又は炎症、良性腫瘍、悪性腫瘍、動静脈奇形、消化管出血, 鼻出血、一次産後出血および/もしくは外科出血の治療のため、及び／又はヒトもしくは動物における組織再生のための医薬品）として使用するための、請求項１９または２０の何れかに記載のインプラント、請求項１ないし１３の何れかに記載のポリマー、または請求項１６ないし１８の何れかに記載の組成物。
【発明の詳細な説明】
【技術分野】
【０００１】
本発明は、個体に移植しやすく、高分子を送達すると共に制御放出する、膨潤性生体吸収性架橋ポリマーに関する。
【背景技術】
【０００２】
生体材料の移植の分野において、高分子のような不安定な生理活性剤を担持した吸収性膨潤性粒子には需要がある。しかしながら、これまで、不完全な解決方法しか考案されていない。
【０００３】
高分子は、特に興味深い方法で治療に使用される新しいタイプの分子である。特に、これらのタイプの薬剤の特別な生物学的な活性が、他のタイプに比べて薬剤学上の大きな利点を提供する。高分子の例としてはタンパク質および核酸が挙げられる。
【０００４】
現在のところ、１３０以上のタンパク質が市販されている（Leader, 21-39,2008, Nature Reviews）。組み換えタンパク質の大量生産を可能にするバイオテクノロジーの進歩によって、ますます多くのタンパク質薬剤が臨床試験で利用されている。これらは、多くの疾患を患っている患者を治療するために使用される：癌（モノクローナル抗体およびインターフェロンによる治療）、心血管疾患、嚢胞性線維症、ゴーシェ病（血液中の酵素やタンパク質による治療）、糖尿病（インスリン）、貧血（エリスロポエチン） ：骨欠損（骨形成タンパク質）および血友病（凝固因子）。
【０００５】
核酸も、医療に応用できる高分子である。これらの治療薬としては、導入遺伝子を含むプラスミド、オリゴヌクレオチド、アプタマー、リボザイム、ＤＮＡザイム、および低分子干渉ＲＮＡが挙げられる。これらの薬剤は、疾患の進行およびその合併症を防ぐため、予防的あるいは非常に早い段階で疾患を軽減するために使用することができる。
【０００６】
この種の分子は、非常に不安定であり、有機溶媒との接触、高温での使用、せん断応力又は酸性環境を避ける必要がある。従って、体内における高分子の送達が課題となっている。
【０００７】
実際、これらの性質により、高分子は経口投与することができない。これらの製品は、胃腸管内で急速に分解する傾向がある（特に、その中の酸性環境及び酵素の存在による）。さらに、高分子は、in vivoでの寿命が短い。
【０００８】
さらに、高分子は、より大きな程度で、そのサイズと一般的に有極性であることにより、内皮、上皮及び腸内の障壁を通過することができない。
【０００９】
これらの理由から、高分子は、非経口的に（即ち、注射により）身体に導入しなければならない。しかしながら、これらの製品の薬物動態プロファイルは、製品を注射にて頻繁に投与することを必要とするものである。時には、タンパク質薬剤の所望の治療効果を得るために、頻回注射あるいは連続投与さえ必要となる。このことは、これらの薬剤を必要とする患者にとって不便であることは明らかであろう。さらに、多くの場合、この種の適用は、入院および／または医学的監督が必要であり、ロジスティック的に不利である。
【００１０】
また、少なくとも、現在、例えば癌治療で用いられているサイトカインのような特定のクラスの医薬高分子に関して、治療効果は、それを必要とする部位に対する効果的な送達に強く依存している。そのような場合には、高分子を、長時間それらの活性が必要な部位に向けるべきである。
【００１１】
したがって、制御放出する能力を有する送達システムには需要がある。当該技術分野において、タンパク質等の高分子を担持し、そこからそれらを徐々に放出するポリマーネットワークからなる送達システムが提案されている。
【００１２】
高分子の局所送達は困難である。このアプローチの主な欠点は、高分子安定性が損なわれ得る、溶媒（例、塩化メチレン又はイソプロパノール）、高い温度、発泡を用いた高分子の可溶化工程が必要な点である。タンパク質同様、マイクロ粒子中への核酸の局所送達は、いくつかの制限を有する。これらの問題としては、マイクロカプセル化でのＤＮＡへの損傷、低いカプセル化効率、および捕捉化合物の最小限の初期放出が挙げられる（O'Hagan, 10-19, 2006, Methods）。
【００１３】
高分子（特にタンパク質）の送達および生物学的効果に影響を与える最も重要な相違点の一つは、タンパク質の構造の複雑さであり、タンパク質の有効性と分子の三次元構造との間には密接な関係がある。局所的薬剤送達システムのすべての製剤工程にわたって構造的完全性を維持することは不可欠である。送達システムにおけるタンパク質のカプセル化法は、タンパク質の不活性化につながり得る重要なステップである（Sinha and Trehan, 261-280,2003, Journal of controlled Release）。ポリマー微粒子でのタンパク質薬剤のカプセル化のために最も一般的に使用される方法としては、Ｗ１／Ｏ／Ｗ２分散からの溶媒抽出または蒸発、コアセルベーション、および噴霧乾燥が挙げられる（Dai, 117-120, 2005, Colloids and Surface B, Freitas, 313-332, 2005, Journal of controlled Release; Sinha and Trehan, 261-280, 2003, Journal of controlled Release; Tamber, 357-376, 2005, Advanced Drug Delivery Reviews）。これらの方法による多くの欠点により、カプセル化および放出のプロセスでタンパク質の変性及び不安定化が引き起こされる可能性がある。ダブルエマルション法には、有機溶媒への暴露、高いせん断応力、及び水性有機の相互作用といった制限がある。噴霧乾燥は、高温で行うため、治療用タンパク質や核酸のような温度感受性が高い化合物に使用することは望ましくない。
【００１４】
簡単に説明すると、タンパク質には構造組織に４つのレベルがある：ポリペプチド鎖に沿ったアミノ酸の直鎖の一次構造、ヘリックスやシートにおけるポリペプチド鎖の領域内のアミノ酸の局所的折り畳みによって形成された二次構造、ヘリックスとシートの空間内の安定配置で作られる三次構造。四次構造は、これらのタンパク質のサブユニットの配置であり、ヘモグロビンまたは抗体のような活性タンパク質は、いくつかのサブユニットから構成されている（２つのシステインの間で形成されるジスルフィド架橋による４タンパク質鎖の集合）。タンパク質の三次構造又は四次構造は、ポリペプチド鎖のアミノ酸残基の間に形成される弱い結合（水素、疎水性、イオン性）に依存している。これらの非共有結合は不安定であり、特定の条件下で壊れ、タンパク質のアンフォールディングにつながり得る。タンパク質の生物学的機能はその構造に依存し、変性タンパク質はその機能をもはや実行できない。タンパク質の変性を引き起こす主な要因は、弱い水素結合を壊す熱、ｐＨ（強すぎる酸性、強すぎる塩基性）およびイオン強度である。また、タンパク質のアンフォールディングは、折り畳まれたタンパク質の親水性領域が分子の中央に集まる一方で、疎水性領域が外側になる、有機溶媒存在下でも起こる。マイクロスフェアの調製において、タンパク質は、高温および有機溶媒（例、ジクロロメタン（ＰＬＧＡの溶媒））の両方に晒され、変性し得る（Raghuvanshi, 269-276, 1998, Pharm Dev Technol）。
【００１５】
より詳細には、現時点で、二つの主要なタイプの高分子送達システムを区別することができる：生分解性ポリマーと非生分解性ヒドロゲル。
【００１６】
生分解性ポリマー（例、ポリ乳酸（ＰＬＡ）、およびＰＬＡとグリコール酸との共重合体（ＰＬＧＡ））は、しばしば、タンパク質などの高分子のための送達システムとして使用される。
【００１７】
高分子は、様々なプロセスによって医薬送達システム（例、マイクロスフェア）に組み込むことができる。in vitroおよびin vivoにおいて、通常は二相性の放出プロファイルが観察される：初期の爆発的放出、続いてより穏やかな放出。爆発的放出は、マイクロスフェアの表面またはその近傍に存在する高分子および孔に存在する高分子によって引き起こされる。穏やかな放出は、マトリクスを介した高分子の拡散およびマトリクスの分解の組み合わせによる。特に、これらマトリクスにおけるより大きい高分子の拡散は、ごくわずかであるので、放出はポリマーの分解に依存する。分解は、（コ）ポリマーの組成に影響され得る。ＰＬＡの分解速度を大きくする周知の戦略は、グリコール酸との共重合である。
【００１８】
生分解性ポリマーに基づく送達システムは興味深いが、組み込まれた高分子の放出を制御することは非常に困難である。このことは、これらのシステムの、特に治療域が狭い高分子（例、サイトカインおよびホルモン）のための、適用可能性を妨げる。また、これらのポリマーシステムでの高分子のカプセル化のために、有機溶媒を使用しなければならない。通常、有機溶媒への高分子の曝露は、変性をまねき、高分子の生物学的活性に影響を与える。さらに、ごく微量の有害物質に対する登録機関の非常に厳しい要件により、ヒト患者におけるこのような治療薬の製剤の使用が禁止される可能性がある。
【００１９】
またマイクロスフェアのコアにおけるＰＬＧＡの加水分解は局所的酸性化を引き起こす。ｐＨをｐＨ感受性有機プローブを用いて測定すると、１．５ないし３の数値が得られた（Fu, 100-106, 2000, Pharmaceutical Research; Li and Schwendeman, 163-173, 2005, Journal of controlled Release）。マイクロスフェアのポリマーマトリックス内のｐＨ低下により、ＰＬＧＡマトリックスにてカプセル化されたタンパク質の異なった変化を誘導し得る。カプセル化された蛋白質に影響を与える、多くの文書で開示された都合の悪い反応としては、ペプチド結合の脱アミド化、アシル化、加水分解が挙げられる（Murty, 50-61, 2005, International Journal of Pharmaceutics; Abbas Ibrahim, 241-252, 2005, Journal of controlled Release, Houchin and Topp, 2395-2404, 2008, Journal of Pharmaceutical Sciences）。タンパク質の脱アミド化は、アミノ酸のアスパラギンおよびグルタミンがアスパラギン酸およびグルタミン酸に分解される酸触媒反応である。かなりの脱アミド化がカプセル化されたインスリンで観察された（Uchida, 234-236, 1996, Chem Pharm Bull, Shao and Bailey, 623-632, 1999, Pharm Dev Technol）。アシル化は、ＰＬＧＡマイクロスフェアに捕捉されたタンパク質の別の変化である。マイクロスフェアの吸収の間、タンパク質は、グリコール酸又は乳酸の付加物とアシル化し得る。この副反応は、in vivoにてＰＬＧＡマイクロスフェアで皮下移植されたオクトレオチドペプチドで観察され（Murty, 50-61, 2005, International Journal of Pharmaceutics）、in vitroにて、サケのカルシトニンで観察された（Lucke, 175 - 181, 2002, Pharmaceutical Research）。アシル化は、いくつかのアミノ酸で発生する：タンパク質のＮ末端アミノ酸の遊離アミン、ペプチド鎖に沿って位置する、リシン、チロシンまたはセリン。マイクロスフェアにおける局所的な酸性は、特にアスパラギン酸のレベルで、ペプチド鎖の加水分解を引き起こす可能性があり、Ａｓｐ−Ｐｒｏの結合が壊れやすいと考えられている。in vitroでの放出実験で、５０％を超える炭酸脱水酵素が、フラグメントに対応したＰＬＧＡマイクロスフェア（１〜３ミクロン）から１週間後に放出した（Sandor, 63-74, 2002, Biochimica and Biophysica Acta）。
【００２０】
担持されたＰＬＧＡマイクロスフェアは、それ自身長期間の放出を制御するためにアルギン酸ハイドロゲル上に担持された（Lee, Journal of controlled Release 137, 196-202, 2009）。それでも、生物活性化合物は、分解時にその構造が変性する可能性があるＰＬＧＡマイクロスフェアに組み込まれる。
【００２１】
また、ヒドロゲルは、しばしばタンパク質およびペプチドのための送達システムとして用いられる。ヒドロゲルは、水溶性ポリマーを架橋し、大量の水を含むことができる三次元網目構造を形成することにより得ることができる。タンパク質は架橋反応が行われる前に、ポリマーにタンパク質を加えることにより、或いはタンパク質溶液に予め形成したヒドロゲルを浸漬することにより、ゲルに担持することができる。したがって、（アグレッシブな）有機溶媒を、タンパク質分子をヒドロゲルに担持するために使用する必要がない。
【００２２】
生分解性ポリマーとは対照的に、ヒドロゲルからのタンパク質の放出は、ゲルの水含有量および架橋密度のようなヒドロゲル特性を変えることにより容易に制御し操作することができる。しかし、現在使用されているヒドロゲル送達システムの主な欠点は、生分解性ではないということである。これは、タンパク質の放出後に、空のヒドロゲル材料の含有物による合併症（創傷組織が高い頻度で形成される）を防止するために、患者からのゲルの外科的除去を必要とする。
【００２３】
生分解性ヒドロゲルが、タンパク質薬剤の送達システムの調製に使用されている。これらのシステムの一つは、グリシジルメタクリレート（ＧＭＡ）のデキストランへのカップリング、それに続くＧＭＡ誘導体化デキストラン（ｄｅｘ−ＧＭＡ）の水溶液のラジカル重合によって得られた架橋デキストランを含む（Hennink, Pharmaceutical Research, vol 15, n°4, 1998）。しかし、得られるマイクロスフェアのサイズは、非常に小さい（約１００μｍ）。
【００２４】
タンパク質は、架橋反応の前にＧＭＡ誘導体化デキストランの溶液にタンパク質を添加することによってヒドロゲル中でカプセル化することができる。それは、これらのヒドロゲルからのタンパク質の放出が、架橋度およびゲルの含水量に依存しており、それらにより制御できると考えられる（Hennink et al., J. Contr. Rel. 39, (1996), 47-57）。
【００２５】
記載されている架橋デキストランヒドロゲルは生分解性であると予想されたが、これらのヒドロゲルは、生理学的条件下で比較的安定である。
【００２６】
この問題を解決するため、ＵＳ２００８／１３１５１２にて、加水分解によるネットワークの分解を促進するために、デキストランおよびメタクリル二重結合の間に合成吸収性ポリマー（ＰＬＡまたはＰＧＡ）を加えることが提案されている。しかし、その化学的性質によって、デキストランは、構造上に、特定の官能基を導入するために修飾することは非常に困難である。これらの官能基は、高分子の取り込みを有利にし及び/又は放出を制御するのに有用であり得る。
【００２７】
マイクロスフェアは、天然ポリマー（ゼラチン又はコラーゲン）で作ることができる。しかし、放出は急速であり（ウサギ関節腔に移植後1週間以内）(Inoue, 264-270, 2006, Arthritis & Rheumatism)、長期間の使用及び制御された薬剤放出を不可能にする。また、コラーゲンはウシ由来であり、ウシ蛋白質に対するアレルギー反応が患者の約２％でおこることも注目すべきである。
【００２８】
したがって、本発明の目的は、上記課題を解決することであり、特に、高分子（例、タンパク質）の、マイクロスフェア調製中の不安定性化、ポリマーとの非特異的相互作用、分解するポリマーマトリックスにおける局所的な酸性化を防ぎ、爆発的放出の効果を伴うマイクロスフェアの放出のより良い予測可能性と制御を可能にすることである。
【発明の概要】
【００２９】
本発明は、発明者らにより、生体吸収性ＰＬＧＡ−、ＰＥＧ−及び／又はＰＬＡに基づくブロック共重合体で架橋したポリマーにおける中性（メタ）アクリレートの存在が、ポリマーの膨潤の制御を可能にすると共に、このようなポリマーの分解速度に影響を与え得るという予測できない発見からなされたものである。さらに、この種のポリマーは、体内でその作用部位へ高分子を送達するために特に適している。実際には、不安定配座を保持し、それにより高分子の活性を保持する、高分子をポリマーに担持するためのプロセスが使用可能である。さらに、ポリマーが球状粒子として提供される場合、膨潤時でも球形を維持することができる。この種のポリマーは、特許出願Ｎｏ．ＰＣＴ／ＥＰ２０１０／０６３２２７に記載されている。それは担持された高分子の制御放出を提供するので特に興味深い。純粋なＰＬＧＡデバイスとは逆に、本発明に基づくポリマーネットワークは、ＰＬＧＡだけで構成されるものではなく、ＰＥＧおよびメタクリレート鎖も有する。ネットワークの分解時、ＰＬＧＡの酸性の分解生成物は、ヒドロゲルの内部で希釈され、構造から拡散され得る。
【００３０】
さらに、羊の肩関節で行った動物実験では、従来技術のマイクロスフィアとは異なり、本発明に基づくマイクロスフィアのポリマーは、急速に、滑膜組織に組み込まれ、滑膜での滞留時間は、少なくとも数週間(１カ月)であり、本発明のマイクロスフィアが、数週間または数カ月の間滑膜中に薬剤を送達するのに適しているということが出願人によって証明された。
【００３１】
したがって、本発明は、高分子担持生体吸収性架橋ポリマーに関する。ポリマーは、特許出願Ｎｏ．ＰＣＴ／ＥＰ２０１０／０６３２２７に記載されているものである。
したがって、当該ポリマーは、
（ｉ）  少なくとも１つの式（Ｉ）：
（ＣＨ２＝ＣＲ１）ＣＯ−Ｋ  （Ｉ）
［式中、
Ｋは、Ｏ−ＺまたはＮＨ−Ｚを示し、Ｚは、（ＣＲ２Ｒ３）ｍ−ＣＨ３、（ＣＨ２−ＣＨ２−Ｏ）ｍ−Ｈ、（ＣＨ２−ＣＨ２−Ｏ）ｍ−ＣＨ３、（ＣＨ２）ｍ−ＮＲ４Ｒ５（ｍは、１〜３０の整数を示す。）を示し；
Ｒ１、Ｒ２、Ｒ３、Ｒ４及びＲ５は、独立して、ＨまたはＣ１−Ｃ６アルキルを示す。］のモノマー；および
（ｉｉ）少なくとも１つの生体吸収性ブロック共重合体架橋剤
を重合して得られる。
【００３２】
本発明によれば、有利には、上記で定義したポリマーは、少なくとも１つの式（Ｉ）のモノマー、少なくとも１つの生体吸収性ブロック共重合体架橋剤、および（ｉｉｉ）さらに少なくとも一つの連鎖移動剤を重合させて得られる。
【００３３】
多くの場合、重合を開始するために用いられる活性種は反応性が高く、いくつかの場合、連鎖移動反応のような望ましくない副反応が起こり得る。これは、短鎖または長鎖の枝分かれの生成、あるいはさらに非吸収性の架橋形成の問題につながり得る（Scorah 2006, Polym. Bull. 57, 157-167）。これらの構造的変化は、材料の生体適合性に悪影響を及ぼし得る。これらの副反応を避けるために、適切な量の連鎖移動剤を、ネットワーク形成に影響を与えることなくモノマー溶液に添加してもよい。高い移動反応性を有するこれらの分子は、「調整剤（regulators）」とも呼ばれ、低濃度であっても非常に有効である。さらに、少なくとも一つの移動剤の使用は、ポリマー鎖の残渣の分子量を減少させる／制御するための付加的な方法である（Loubat 2001, Polym. Int. 50, 375-380; Odian, G. “Principles of polymerization” 3rd ed., J. Wiley, New York 1991）。
【００３４】
有利には、少なくとも１つの連鎖移動剤は、単官能或いは多官能のチオール、ハロゲン化アルキル、遷移金属塩又は錯体、および２，４−ジフェニル−４−メチル−１−ペンテンのようなフリーラジカル連鎖移動反応プロセスで活性があると知られているその他化合物からなる群から選ばれる。
【００３５】
特に有利には、少なくとも１つの連鎖移動剤は、脂環式の又は好ましくは脂肪族のチオール（通常、２個ないし約２４個の炭素原子を有し、アミノ、ヒドロキシ、カルボキシから選ばれるさらなる官能基を有していてもよい。）である。
【００３６】
特に好ましい連鎖移動剤の例としては、チオグリコール酸、２−メルカプトブタノール、ドデカンチオールおよびヘキサンチオールである。
【００３７】
本発明によれば、少なくとも１つの連鎖移動剤は、単官能のモノマーのモル数に対して、例えば、０．１ないし１０モル％、好ましくは、１ないし４モル％、特に好ましくは、１．５ないし３．５モル％の量で反応混合物中に存在してもよい。
【００３８】
本発明によれば、有利には、上記定義のポリマー、少なくとも１つの式（Ｉ）のモノマー、少なくとも１つの生体吸収性ブロック共重合体架橋剤、（ｉｉｉ）必要に応じて少なくとも１つの上記定義の連鎖移動剤、及び（ｉｖ）さらに少なくとも１つの式（ＩＩＩ）：
【００３９】
【化１】
2014511427.tif 000002
【００４０】
［式中、
Ｒ６、Ｒ７、Ｒ８およびＲ９が、独立して、ＨまたはＣ５−Ｃ７アリール基を示すか、あるいはＲ６及びＲ９が存在せず、Ｒ７及びＲ８が、それらが結合する炭素原子と一緒になって、Ｃ５−Ｃ７アリール基を形成し；
ｉ及びｊは、独立して、０ないし２から選ばれる整数を示し、有利には、ｉおよびｊが０及び１から選ばれ、より有利には、ｉ＝ｊであり、なお一層有利には、ｉ＝ｊ＝１であり；
ＸはＯを示すか、あるいはＸは存在せず、後者の場合、ＣＲ６Ｒ７及びＣＲ８Ｒ９は、単結合Ｃ−Ｃを介して結合している。］
のエキソメチレン基を有する環状モノマーを重合させることにより得られる。
【００４１】
有利には、特許Ｎｏ．ＰＣＴ／ＥＰ２０１０／０６３２２７に記載のポリマーの重合中におけるエキソメチレン基を有する環状モノマーの存在により、ポリマーの機械的特性を変更することなく、ポリマーの分解後に得られる残留物の分子量を下げることができる。
【００４２】
重合におけるこの種のモノマーの使用は、ポリマーネットワークの主鎖に不安定な点の数を増やし、それにより、加水分解後に得られる残渣の分子量を低下させる。したがって、この特性により、腎臓中におけるポリマーの望ましくない蓄積を避けることができる。
【００４３】
実際には、エキソメチレン基を有する環状モノマーの使用による、ポリマーネットワーク中におけるエステル結合の導入により、ポリマーネットワークの分解制御における、より大きな柔軟性がもたらされる。
【００４４】
好ましくは、本発明によれば、式（ＩＩＩ）のエキソメチレン基を有する環状モノマーは、２−メチレン−１，３−ジオキソラン、２−メチレン−１，３−ジオキサン、２−メチレン−１，３−ジオキセパン、２−メチレン−１，３，６−トリオキソカン、及びそれらの誘導体（特に、ベンゾ誘導体及びフェニル置換誘導体）からなる群から選ばれ、有利には、２−メチレン−１，３−ジオキソラン、２−メチレン−１，３−ジオキサン、２−メチレン−１，３−ジオキセパン、２−メチレン−４−フェニル−１，３−ジオキソラン、２−メチレン−１，３，６−トリオキソカン及び５，６−ベンゾ−２−メチレン−１，３ジオキセパンからなる群から選ばれ、より有利には、２−メチレン−１，３−ジオキセパン、５，６−ベンゾ−２−メチレン−１，３ジオキセパン、２−メチレン−１，３，６−トリオキソカン及び２−メチレン−１，３，６−トリオキソカンからなる群から選ばれる。
【００４５】
有利には、本発明に基づくポリマーは、モノマー全量に対して、０．１ないし５０ｍｏｌ％、より有利には０．１ないし２０ｍｏｌ％、通常１ないし１０ｍｏｌ％の上記の環状モノマーの使用により得られる。
【００４６】
本発明の実施態様において、上記定義のポリマーは、少なくとも１つのモノマー、少なくとも１つの生体吸収性ブロック共重合体架橋剤、必要に応じて少なくとも１つの上記定義の連鎖移動剤、必要に応じて少なくとも１つの上記定義のエキソメチレン基を有する環状モノマー、および下記式（Ｖ）：
（ＣＨ２＝ＣＲ１１）ＣＯ−Ｍ−Ｆ    （Ｖ）
［式中、
Ｒ１１は、Ｈ又はＣ１−Ｃ６アルキルを示し；
Ｍは、単結合または１ないし２０個の炭素原子を有するリンカー部分を示し；
Ｆは、１００個以下の原子を有する、電荷性、イオン性、親水性または疎水性の基を示す。］
の電荷性、イオン性、親水性又は疎水性のモノマーである少なくとも１つのさらなるモノマーを重合させることにより得られる。
【００４７】
これらの実施形態は、本発明のポリマーが上記で定義された電荷性、イオン性、親水性または疎水性のモノマーから重合される場合、ポリマーは、担持（すなわち非共有結合的に吸着）した高分子を送達することを可能にする様々な物理化学的な表面特性を呈することがある。
【００４８】
本発明に基づくポリマーに担持された高分子は、タンパク質及び核酸からなる群から選ばれる。
【００４９】
また、本発明は、医薬品として使用するための少なくとも１つの上記定義のポリマーに関する。
【００５０】
また、本発明は、医薬上許容される担体とともに、少なくとも１つの上記定義のポリマーを含む医薬組成物に関する。
【００５１】
また、本発明は、有利には、皮膚老化の修復のため、ならびに/または創傷治癒のため、ならびに/または組織再構築のため、ならびに/または軟組織の修復のため、ならびに/または炎症、良性腫瘍、悪性腫瘍、動静脈奇形、消化管出血、鼻出血、一次産後出血および/もしくは外科出血の治療のため、ならびに/またはヒトもしくは動物における組織再生のため、または細胞培養における組織工学のための、医薬品として使用するための、上記で定義した少なくとも一つのポリマーに関する。
【００５２】
また、本発明は、有利には注射による投与のための、薬学上受容可能な担体と共に上記で定義した少なくとも一つのポリマーを含む医薬組成物に関する。
【００５３】
特に、
（ａ）直径５０ないし５００μｍの球面形状を有し、２日ないし３週間の吸収時間を有する上記定義のポリマー；
（ｂ）直径５０ないし５００μｍの球面形状を有し、１ないし３カ月の吸収時間を有する上記定義のポリマー；および
（ｃ）少なくとも１つの医薬上許容される賦形剤
を含有する注射用医薬組成物（ただし、ポリマー（ａ）および（ｂ）の少なくとも一つは、上記定義の高分子を担持している。）に関する。
【００５４】
本発明に基づく組成物において、ポリマー（ａ）と（ｂ）の球状粒子は、同一の直径を有さないことが有利であり、ポリマー（ａ）の球状粒子の直径が１００ないし３００μｍであり、ポリマー（ｂ）の球状粒子の直径が３００ないし５００μｍであることが有利である。
【００５５】
また、本発明は、少なくとも１つの上記で定義したポリマーまたは上記で定義した組成物を含有するインプラントに関するものである。
【発明を実施するための形態】
【００５６】
（生体吸収性ブロック共重合体）
本明細書で意図しているように、「生体吸収性」という表現は、ブロック共重合体が、生物（好ましくは、哺乳類、特に、ヒト、生命体）に投与した場合に、分解或いは開裂することを意味する。本明細書で意図しているように、「生体吸収性」とは、ブロック重合体が加水分解され得ることを示す。
【００５７】
本明細書で意図しているように、「共重合体架橋剤」という表現は、共重合体が、いくつかのポリマー鎖を互いに結合させるために少なくとも二つの末端に官能基を含むという意味を意図している。この官能基が、二重結合を含んでいることが有利である。
【００５８】
上記で定義された生体吸収性ブロック共重合体架橋剤は、直鎖状であることが好ましく、両末端が（ＣＨ２＝（ＣＲ６））−基（式中、Ｒ６は、独立して、Ｈ又はＣ１−Ｃ６アルキルを示す。）を示すことが有利である。また、好ましくは、生体吸収性ブロック共重合体架橋剤は、ジブロック共重合体またはトリブロック共重合体である。
【００５９】
ブロック共重合体架橋剤は、特にブロックの１つにＰＥＧが含まれている場合、それらがより多くの水分子を引き付けるため、それにより、より容易に加水分解される傾向があるので、ランダム共重合体よりも有利である。さらに、その使用目的に応じて、ブロックのサイズを変更することにより、本発明に基づく重合体の生分解速度を適合させることは容易である。
【００６０】
また、上記で定義された生体吸収性ブロック共重合体架橋剤のブロックは、ポリエチレングリコール（ＰＥＧ）、ポリ−乳酸（ポリ−ラクチドとも称す）（ＰＬＡ）、ポリ−グリコール酸（ポリ−グリコライドとも称す）（ＰＧＡ）、ポリ−ラクチック−グリコール酸（ＰＬＧＡ）及びポリ（カプロラクトン）（ＰＣＬ）からなる群から選ばれることが好ましい。
【００６１】
当業者に周知であるように、ＰＥＧ、ＰＬＡ、ＰＧＡおよびＰＣＬは、以下のように表され、ｎは重合度を示す：
【００６２】
【化２】
2014511427.tif 000003
【００６３】
ラクチド単位とグリコリド単位の両方を含むＰＬＧＡに関し、重合度は、ラクチド単位とグリコリド単位の数の合計である。
【００６４】
より好ましくは、上記で定義された生体吸収性ブロック共重合体架橋剤は、下記式（ＩＩ）：
（ＣＨ２＝ＣＲ７）ＣＯ−（Ｘｎ）ｊ−ＰＥＧｐ−Ｙｋ−ＣＯ−（ＣＲ８＝ＣＨ２）  （ＩＩ）
［式中：
Ｒ７及びＲ８は、独立して、Ｈ又はＣ１−Ｃ６アルキルを示し；
Ｘ及びＹは、独立して、ＰＬＡ、ＰＧＡ、ＰＬＧＡ又はＰＣＬを示し；
ｎ、ｐ及びｋは、それぞれ、Ｘ、ＰＥＧ及びＹの重合度を示し、ｎ及びｋは、独立して、１ないし１５０の整数であり、ｐは、１ないし１００の整数であり；
ｊは、０又は１を示す。］
のものである。
【００６５】
最も好ましくは、上記で定義された生体吸収性ブロック共重合体架橋剤は：
（ＣＨ２＝ＣＲ７）ＣＯ−ＰＬＡｎ−ＰＥＧｐ−ＰＬＡｋ−ＣＯ−（ＣＲ８＝ＣＨ２）；
（ＣＨ２＝ＣＲ７）ＣＯ−ＰＧＡｎ−ＰＥＧｐ−ＰＧＡｋ−ＣＯ−（ＣＲ８＝ＣＨ２）；
（ＣＨ２＝ＣＲ７）ＣＯ−ＰＬＧＡｎ−ＰＥＧｐ−ＰＬＧＡｋ−ＣＯ−（ＣＲ８＝ＣＨ２）；
（ＣＨ２＝ＣＲ１１）ＣＯ−ＰＣＬｎ−ＰＥＧｐ−ＰＣＬｋ−ＣＯ−（ＣＲ１２＝ＣＨ２）；
（ＣＨ２＝ＣＲ７）ＣＯ−ＰＥＧｐ−ＰＬＡｋ−ＣＯ−（ＣＲ８＝ＣＨ２）；
（ＣＨ２＝ＣＲ７）ＣＯ−ＰＥＧｐ−ＰＧＡｋ−ＣＯ−（ＣＲ８＝ＣＨ２）；
（ＣＨ２＝ＣＲ７）ＣＯ−ＰＥＧｐ−ＰＬＧＡｋ−ＣＯ−（ＣＲ８＝ＣＨ２）；及び
（ＣＨ２＝ＣＲ１１）ＣＯ−ＰＥＧｐ−ＰＣＬｋ−ＣＯ−（ＣＲ１２＝ＣＨ２）
［各式中、Ｒ７、Ｒ８、ｎ、ｐ及びｋは上記定義の通り。］
からなる群から選ばれる式のものである。
【００６６】
（ポリマー）
当業者には明らかであろうように、本発明のポリマーは、生体吸収性（すなわち、加水分解性）架橋ポリマーである。特に、本発明のポリマーは、少なくとも一つの鎖が上記で定義された生体吸収性ブロック共重合体架橋剤によって架橋された、少なくとも一つの重合した上記定義のモノマーの鎖から構成されている。
【００６７】
有利には、本発明のポリマーは、膨潤性であり、すなわち、液体（特に、水）を吸収する能力を有している。したがって、この種のポリマーはヒドロゲルと呼ばれる。
【００６８】
当業者には明らかであるように、本発明のモノマーは、例として、以下のように表すことができる：
【００６９】
【化３】
2014511427.tif 000004
【００７０】
次いで、重合時に、本発明のモノマーは次のように表すことができる：
【００７１】
【化４】
2014511427.tif 000005
【００７２】
好ましくは、上記で定義された式（Ｉ）のモノマーは、ｓｅｃ−ブチルアクリレート、ｎ−ブチルアクリレート、ｔ−ブチルアクリレート、ｔ−ブチルメタクリレート、メチルメタクリレート、Ｎ−ジメチル−アミノエチル（メチル）アクリレート、Ｎ，Ｎ−ジメチルアミノプロピル−（メタ）アクリレート、ｔ−ブチルアミノエチル（メチル）アクリレート、Ｎ，Ｎ−ジエチルアミノアクリレート、アクリレート末端ポリ（エチレンオキシド）、メタクリレート末端ポリ（エチレンオキシド）、メトキシポリ（エチレンオキシド）メタクリレート、ブトキシポリ（エチレンオキシド）メタクリレート、アクリレート末端ポリ（エチレングリコール）、メタクリレート末端ポリ（エチレングリコール）、メトキシポリ（エチレングリコール）メタクリレート、ブトキシポリ（エチレングリコール）メタクリレートからなる群から選ばれる。
【００７３】
最も好ましくは、上記で定義された式（Ｉ）のモノマーは、ポリ（エチレングリコール）メチルエーテルメタクリレートである。
【００７４】
また、Ｆは、ＣＯＯＨ、ＣＯＯ−、ＳＯ３Ｈ、ＳＯ３−、ＰＯ４Ｈ２、ＰＯ４Ｈ−、ＰＯ４２−、ＮＲ９Ｒ１０、ＮＲ９Ｒ１２Ｒ１０＋（式中、Ｒ９、Ｒ１０及びＲ１２は、独立して、Ｈ又はＣ１−Ｃ６アルキルを示す。）、Ｃ１−Ｃ２０アルキル基、Ｃ５−Ｃ２０アリール基、Ｏ、Ｎ又はＳからなる群から選ばれるヘテロ原子を含む（５〜３０員）ヘテロアリール基、Ｏ−Ｃ５−Ｃ２０アリール基及びＯ−（５〜３０員）ヘテロアリール基、クラウンエーテル及びシクロデキストリンからなる群から選ばれることが好ましい。
【００７５】
好ましくは、電荷性、イオン性、親水性または疎水性のモノマーは、カチオン性モノマーであり、有利には、（メタクリロイルオキシ）エチルホスホリルコリン、２−（ジメチルアミノ）エチル（メタ）アクリレート、２−（ジエチルアミノ）エチル（メタ）アクリレート及び塩化２−（（メタ）アクリロイルオキシ）エチル］トリメチルアンモニウムからなる群から選ばれ、より有利には、カチオン性モノマーが、ジエチルアミノ）エチル（メタ）アクリレートである。有利には、本発明に基づくポリマーは、モノマーの総量を基準にして、１ないし３０ｍｏｌ％の上記カチオン性モノマーを用いて得られ、より有利には、１０ないし１５ｍｏｌ％用いて得られる。
【００７６】
別の有利な実施形態では、電荷性、イオン性、親水性または疎水性のモノマーは、アニオン性モノマーであり、有利には、アクリル酸、メタクリル酸、２−カルボキシエチルアクリレート、２−カルボキシエチルアクリレートオリゴマー、３−スルホプロピル（メタ）アクリレートカリウム塩及び２−（メタクリロイルオキシ）エチル］ジメチル−（３−スルホプロピル）アンモニウム水酸化物から選ばれる。有利には、本発明に基づくポリマーは、モノマーの総量を基準にして、１ないし３０ｍｏｌ％の上記アニオン性モノマーを用いて得られ、より有利には、１０ないし１５ｍｏｌ％用いて得られる。
【００７７】
有利な実施態様では、Ｆが、シクロデキストリンであり、電荷性、イオン性、親水性又は疎水性のモノマーが、下記式（ＶＩ）：
（ＣＨ２＝ＣＲ１３）ＣＯＯ−Ｌ１−Ｗ−ＣＤ  （ＶＩ）
［式中：
Ｒ１３は、Ｈ又はＣ１−Ｃ６アルキルを示し；
Ｌ１は、ヒドロキシル基で置換されていてもよい１ないし２０個の炭素原子を有するリンカー部分を示し；
Ｗは、−ＮＨ−、−ＣＯ−、−ＮＨ−Ｒ１９−ＮＨ−、−ＣＯ−Ｒ１９−ＣＯ−又は−トリアゾリル−Ｒ２０−基（式中、Ｒ１９及びＲ２０は、互いに独立して、Ｃ１−Ｃ６アルキル基を示す。）を示し；
ＣＤは、シクロデキストリンを示す。］
を有する。
【００７８】
有利には、本発明に基づくポリマーは、モノマーの総量を基準にして、１ないし４０ｍｏｌ％、通常、１ないし２０ｍｏｌ％の上記式（ＶＩ）のモノマーを用いて得られる。
【００７９】
本発明においては、シクロデキストリンは、任意の公知のシクロデキストリンであればよく、特に、ベータ−シクロデキストリン、メチル−ベータ−シクロデキストリン、ガンマ−シクロデキストリン又はヒドロキシプロピル−ガンマ−シクロデキストリンからなる群から選ばれる。有利には、ベータ−シクロデキストリンである。
【００８０】
シクロデキストリン残基を有する（メタ）アクリル酸構造の例は、以下の文献に提案されている：Macromol Chem Phys 2009, 210, 2107；Macromol Chem Phys 2010, 211, 245；J polym Sci 2009, 47, 4267。
【００８１】
別の有利な実施形態では、Ｆが、クラウンエーテルであり、電荷性、イオン性、親水性又は疎水性のモノマーが、下記式（ＶＩＩ）：
（ＣＨ２＝ＣＲ１４）ＣＯＯ−Ｌ２−ＣＲＥ    （ＶＩＩ）
［式中、
Ｒ１４は、Ｈ又はＣ１−Ｃ６アルキルを示し；
Ｌ２は、ヒドロキシル基で置換されていてもよい１ないし２０個の炭素原子を有するリンカー部分（有利には、Ｃ１−Ｃ６アルキル及びＣ１−Ｃ６アルキル（ＯＣ１−Ｃ６アルキル）（アルキル基は、ヒドロキシル基で置換されていてもよい）からなる群から選ばれる。）を示し；
ＣＲＥは、クラウンエーテルを示す。］
を有する。
【００８２】
有利には、本発明に基づくポリマーは、モノマーの総量を基準にして、１ないし５０ｍｏｌ％、通常、１ないし２０ｍｏｌ％の上記式（ＶＩＩ）のモノマーを用いることによって得られる。
【００８３】
クラウンエーテル残基を有する（メタ）アクリル酸構造の例としては、以下の文献に提案されている：Polymer 2004, 45, 1467 ; Macromolecules 2003, 36, 1514。
【００８４】
さらに別の有利な実施形態では、Ｆが、Ｃ５−Ｃ２０アリール基、Ｏ、Ｎ又はＳからなる群から選ばれるヘテロ原子を含む（５−３０員）ヘテロアリール基、Ｏ−Ｃ５−Ｃ２０アリール基及びＯ−（５−３０員）ヘテロアリール基からなる群から選ばれ、電荷性、イオン性、親水性又は疎水性のモノマーが、下記式（ＶＩＩＩ）：
（ＣＨ２＝ＣＲ２２）ＣＯＯ−Ｌ４−Ａｒ    （ＶＩＩＩ）
［式中：
Ｒ２２は、Ｈ又はＣ１−Ｃ６アルキルを示し；
Ｌ４は、ヒドロキシル基で置換されていてもよい１ないし２０個の炭素原子を有するリンカー部分（有利には、Ｃ１−Ｃ６アルキル及びＣ１−Ｃ６アルキル（ＯＣ１−Ｃ６アルキル）（アルキル基は、ヒドロキシル基で置換されていてもよい。）からなる群から選ばれる。）を示し；
Ａｒは、Ｃ５−Ｃ２０アリール基、Ｏ、Ｎ又はＳからなる群から選ばれるヘテロ原子を含む（５−３０員）ヘテロアリール基、Ｏ−Ｃ５−Ｃ２０アリール基又はＯ、Ｎ又はＳからなる群から選ばれるヘテロ原子を含むＯ−（５−３０員）ヘテロアリール基を示す。］
を有する。
【００８５】
有利には、本発明に基づくポリマーは、モノマーの総量を基準にして、１ないし５０ｍｏｌ％、通常、１ないし３０ｍｏｌ％の上記式（ＶＩＩＩ）のモノマーを用いて得られ、より有利には、５ないし１５ｍｏｌ％用いて得られる。
【００８６】
有利には、上記で定義された式（ＶＩＩＩ）の、電荷性、イオン性、親水性又は疎水性のモノマーが、２−（４−ベンゾイル−３−ヒドロキシフェノキシ）エチル（メタ）アクリレート、２−ヒドロキシ−３−フェノキシプロピル（メタ）アクリレート、エチレングリコールフェニルエーテル（メタ）アクリレート、ベンジルメタクリレート、９Ｈ−カルバゾール−９−エチルメタクリレートからなる群から選ばれる。
【００８７】
また、Ｌ１、Ｌ２およびＭが、下記式：
Ｏ−Ｔ−（Ｕ）ｑ−Ｔ’又はＮＨ−Ｔ−（Ｕ）ｑ−Ｔ’
［式中、Ｔ及びＴ’は、同一又は異なって、１以上のヒドロキシル基、オキソ基又はアミノ基で置換されていてもよいＣ１−Ｃ６アルキル鎖を示し、Ｕは、エステル、アミド、ジスルフィド、アミノ−オキシ又は無水物の官能基のような加水分解可能である官能基を示し、ｑは、Ｍでは０ないし２の整数を示し、Ｌ１及びＬ２では１ないし２の整数を示す。］
のものであることが好ましい。
【００８８】
本発明のポリマーは、その調製後に高分子を担持させる場合、容易に、多くの当業者に周知の方法により合成することができる。一例として、以下の記載および実施例で説明するように、本発明のポリマーは、直接懸濁または逆懸濁を用いて、懸濁重合により得ることができる。
【００８９】
直接懸濁は以下のように進めてもよい：(a)(i) 上記で定義された少なくとも一つのモノマー、および少なくとも一つの生体吸収性ブロック共重合体架橋剤；(ii) モノマー１００重量部あたり０．１重量部ないし約２重量部の範囲の量の重合開始剤；(iii) モノマー１００重量部あたり約５重量部未満（好ましくは、約３重量部未満、最も好ましくは、０．５ないし１．５重量部の範囲）の量の界面活性剤；および(iv) 水中油の懸濁液を形成するための水からなる混合物を撹拌するか或いはかき回す；および(b) モノマーおよび生体吸収性ブロック共重合体架橋剤を重合する。
【００９０】
逆懸濁は以下のように進めてもよい：(a)(i) 上記で定義した少なくとも１つのモノマー、および少なくとも１つの生体吸収性ブロック共重合体架橋剤；(ii) モノマー１００重量部あたり０．１重量部ないし約２重量部の範囲の量の重合開始剤；(iii) モノマー１００重量部あたり約５重量部未満（好ましくは、約３重量部未満、最も好ましくは、０．５ないし１．５重量部の範囲）の量の界面活性剤；および(iv) 油中水の懸濁液を形成するための油からなる混合物を撹拌するか或いはかき回す；および(b) モノマーおよび生体吸収性ブロック共重合体架橋剤を重合する。
【００９１】
したがって、この場合、本発明に基づく高分子を担持したポリマーを調製するプロセスは、高分子を用いて予め形成したポリマーを含浸することを含む。例えば、乾燥状態のポリマーを、高分子に応じて、１ないし２４時間、所定量の高分子を含む溶液中で膨潤させることにより作られる。
【００９２】
上述のポリマーのメッシュサイズは、ポリマーネットワークに高分子の浸透を可能にするのに十分なサイズにする必要がある。そうしなければ、高分子のサイズが大きいため、表面のみに吸着され、高分子の初期の爆発的放出または急速な放出が観察され得る。このようなメッシュサイズは、このようなメッシュサイズは、特に注意を払い、用いる架橋剤の量を選択することにより得ることができる。
【００９３】
イオン性高分子については、本発明に基づくヒドロゲルの構造に対して反対の電荷の存在により吸着を導いてもよく、特に、式（Ｖ）のモノマーを使用し高い錯化効率を達成することにより吸着を導いてもよい。
【００９４】
また、本発明に基づく高分子担持ポリマーの調製プロセスは、異なっていてもよい。これには、架橋反応の前に、高分子を上記のモノマーおよび架橋剤を含む溶液と混合する工程が含まれる。この種のプロセスは、より高い取り込み効率、放出のより良好な制御及び爆発的放出の影響の回避が可能であるためより有利である。
【００９５】
プロセスは、有機溶媒とのいかなる接触からも避け、且つ加熱から避けるように設計すべきである。このように、担持したポリマーの形成は、室温或いは４０℃以下で重合し得る水溶性モノマーおよび架橋剤を用いて行われる。
【００９６】
第二の重要な形態は、高分子の制御放出である。放出は、ポリマーネットワークの吸収時に起こり得るので、架橋度、加水分解性架橋剤の性質、Ｎｏ．ＰＣＴ／ＥＰ２０１０／０６３２２７に記載の特定のコモノマーの存在のような様々なパラメータを通じて制御する必要がある。また、ポリマーネットワークは、高分子のポリマー内部の適切なｐＨを維持するために分解生成物の拡散を可能にすべきである。
【００９７】
有利には、架橋反応が逆懸濁重合によって実施された場合、溶液は水溶液である。
【００９８】
実際にポリマー鎖の架橋は、いくつかの方法によって達成することができる。
【００９９】
逆懸濁重合：このプロセスでは、重合は油相中で懸濁された水滴中で起こる。高分子は、重合前に、水中で親水性モノマーおよび吸収性架橋剤と混合され得る。反応は、周囲温度にて、触媒としてのＴＥＭＥＤの存在下、過硫酸アンモニウムまたは過硫酸カリウムなどの水溶性開始剤によって開始することができる（Cha, Adv. Funct. Mater., 3056-3062, 2009）。そのような化合物の使用を避けるために、重合はガンマ線照射（光重合）下で行うこともできる（Van Tomme, international Journal of Pharmaceutics, 355, 1-18, 2008）。
【０１００】
逆懸濁重合を行うための反応器内での作業の代わりに、マイクロスフェアは、滴下プロセスにより形成することができる。この場合、水中の高分子、親水性モノマーおよび吸収性架橋剤により構成される水溶液を、油性媒体にノズルを通じて滴下し、滴下しながら熱重合または光重合により重合する（Tokuyama, Reactive & Functional Polymers, 70, 967-971, 2010）。
【０１０１】
マイケル型付加反応による（メタ）アクリレート基の架橋もまた考えられる。この反応は、生理学的条件下で行うことができる。
【０１０２】
エス・ピー・ジーテクノ株式会社（SPG Technology Co）により開発された膜乳化技術を用いる比較的新しい方法により、均一なサイズのマイクロスフェアを形成することができる。この方法は、ダブルエマルションＷ／Ｏ／Ｗにより、生物活性化合物の組み込みに適合させることができる。しかし、現在、マイクロスフェアのサイズは１００μｍに制限されている。
【０１０３】
別の方法では、まず、薬剤を保護するために、ナノカプセル中に生物活性化合物を組み込む工程が存在する。次いで、担持されたナノカプセルは、それ自体が、選択的にマイクロスフェアの形状で吸収性インプラントに担持されている。
【０１０４】
ナノカプセルは、光散乱により測定された場合の平均サイズが１μｍよりも小さい。ナノカプセル中における薬剤の取り込みは、ナノ粒子（それ自体がダブルエマルジョン法により調製される）の調製中に実現される（Pharm Res 15(2): 270-5 1998, J Control Release 75(1-2): 211-24, 2001, Crit Rev Ther Drug Carrier Syst. 2002; 19(2):99-134）。
【０１０５】
ナノ粒子を作るポリマーは、好ましくは、ポリ乳酸（ポリラクチド）、ポリグリコール酸（ポリグリコライド）、ラクチド−グリコライド共重合体、ラクチド−グリコライド−ポリエチレングリコール共重合体、ポリオルトエステル、ポリ無水物、生分解性ブロック−共重合体、ポリ（エステル）、ポリ（ブチロラクトン）、ポリ（バレロラクトン）、ポリ（リンゴ酸）、ならびに一般的に１以上のこれらのポリマーそれぞれのポリラクトン及び共重合体から選ばれる。
【０１０６】
（高分子）
本明細書で意図されているように、上記定義の高分子は、タンパク質および核酸から選択される群のうち何れかのタイプのものであってもよく、任意の疾患又は障害の予防または治療を意図するものである。
【０１０７】
上記で示されるように、特に、本発明のポリマーが、少なくとも１つの電荷性、イオン性、親水性または疎水性のモノマーを重合して得られる場合、高分子は、非共有結合性相互作用によりポリマーに吸収され、ポリマーに担持される。次いで、特定の要件を担持する高分子に課さない。
【０１０８】
具体的に、高分子は、酵素、抗体、サイトカイン、成長因子、凝固因子、ホルモン（特に、成長ホルモン）、プラスミド、アンチセンスオリゴヌクレオチド、ｓｉＲＮＡ、リボザイム、ＤＮＡザイム、アプタマーからなる群から選ばれ、有利には、抗炎症性タンパク質（例、インフリキシマブおよびリロナセプト）、骨形成タンパク質、血管新生因子（例、線維芽細胞成長因子、血管内皮細胞増殖因子およびＴＧＦ−ベータ）、血管新生阻害剤（例、ベバシズマブ又はペガプタニブ）からなる群から選ばれる。好ましいペプチドおよびタンパク質としては、エリスロポエチン（例、エポエチンアルファ、エポエチンベータ、ダルベポエチン、ヘモグロビンラフィマーおよびそれらの類似体又は誘導体）；インターフェロン（例、インターフェロンアルファ、インターフェロンアルファ−２ｂ、ＰＥＧ−インターフェロンアルファ−２ｂ、インターフェロンアルファ−２ａ、インターフェロンベータ、インターフェロンベータ−１ａ及びインターフェロンガンマ）；インスリン；抗体（例、リツキシマブ、インフリキシマブ、トラスツズマブ、アダリムマブ、オマリズマブ、トシツモマブ、エファリズマブ及びセツキシマブ）；血液因子（例、アルテプラーゼ、テネクテプラーゼ、ファクターＶＩＩ（ａ）、ファクターＶＩＩＩ）；コロニー刺激因子（例、フィルグラスチム、ペグフィルグラスチム）；成長ホルモン（例、ヒト成長因子またはソマトロピン）；インターロイキン（例、インターロイキン−２及びインターロイキン−１２）；成長因子（例、ベクラペルミン（beclapermin）、トラフェルミン、アンセチスム（ancetism）、ケラチノサイト成長因子）；ＬＨＲＨ類似体（例、ロイプロリド、ゴセレリン、トリプトレリン、ブセレリン、ナファレリン）; ワクチン、エタネルセプト、イミグルセラーゼ、ドロトレコギンアルファが挙げられる。
【０１０９】
有利には、抗体は、以下の群：抗ＣＤ３（例、ムロモナブ（特に、Ｏｔｈｒｏｃｌｏｎｅ  ＯＫＴ３（登録商標）（Ｊ＆Ｊ−オーソ・バイオテク社製）））、抗ＧＰＩＩｂ／ＩＩＩａ（例、アブシキシマブ（特に、Ｒｅｏｐｒｏ（登録商標）（セントコア・リリー社製）））、抗ＣＤ２０（例、リツキシマブ（特に、Ｒｉｔｕｘａｎ（登録商標）（アイデックジェネンテック社））又はイブリツモマブ（特に、Ｚｅｖａｌｉｎ（登録商標）（バイオジェン・アイデック社製））又はトシツモマブ−Ｉ１３１（特に、Ｂｅｘｘａｒ（登録商標）（Ｃｏｒｉｘａｍ−ＧＳＫ製）））、抗ＣＤ２５（例、ダクリズマブ（特に、Ｚｅｎａｐａｘ（登録商標）（ロシュ社製））又はバシリキシマブ（特に、Ｓｉｍｕｌｅｃｔ（登録商標）（ノバルティス社製）））、抗ＲＳＶ（例、パリビズマブ（特に、Ｓｙｎａｇｉｓ（登録商標）（Ｍｅｄｉｍｍｕｎｅ社製）））、抗ＴＮＦａ（例、インフリキシマブ（特に、Ｒｅｍｉｃａｄｅ（登録商標）（セントコア社製））又はアダリムマブ（特に、Ｈｕｍｉｒａ（登録商標）（アボット社製）））、抗ＨＥＲ２（例、トラスツズマブ（特に、Ｈｅｒｃｅｐｔｉｎ（登録商標）（ジェネンテック社製）））、イムノトキシン（例、ゲムツズマブ（特に、Ｍｙｌｏｔａｒｇ（登録商標）（ワイス社製）））、抗ＣＤ５２（例、アレムツズマブ（特に、Ｃａｍｐａｔｈ（登録商標）Ｒ−１Ｈ（Ｍｉｌｌｅｎｎｉｕｍ−ＩＬＥＸ社製）））、抗ＩｇＥ（例、オマリズマブ（特に、Ｘｏｌａｉｒ（登録商標）（ジェネンテック社製）））、抗ＣＤ１１ａ（例、エファリズマブ（特に、Ｒａｐｔｉｖａ（登録商標）（ジェネンテック社製）））、抗ＥＧＦＲ（例、セツキシマブ（特に、Ｅｒｂｉｔｕｘ（登録商標）（イムクローン・システムズ社製）））、抗ＶＥＧＦ（例、ベバシズマブ（特に、Ａｖａｓｔｉｎ（登録商標）（ジェネンテック社製）））及び抗４ａ−インテグリン（例、ナタリズマブ（特に、Ｔｙｓａｂｒｉ（登録商標）（バイオジェン・アイデック社製）））から選ばれる。
【０１１０】
有利には、ホルモンは、以下の群: ソマトロピン（例、Ｎｏｒｄｉｔｒｏｐｉｎ（登録商標）（ノボ・ノルディスク社製））、ルトロピンアルファ（例、Ｌｕｖｅｒｉｓ（登録商標）（セローノ社製））、フォリトロピンアルファ（例、Ｇｏｎａｌ−ｆ（登録商標）（セローノ社製））、セルモレリン酢酸塩（例、Ｇｅｒｅｆ（登録商標）（セローノ社製））、エポエチンアルファ（例、Ｅｐｏｇｅｎ（登録商標）（アムジェン社製））及びペグビソマント（例、Ｓｏｍａｖｅｒｔ（登録商標）（センサス社製））から選ばれる。
【０１１１】
有利には、サイトカインは、以下の群：インターフェロンガンマ−１ｂ（例、Ａｃｔｉｍｍｕｎｅ（登録商標）（Ｉｎｔｅｒｍｕｎｅ社製））、インターフェロンベータ−１ａ（例、Ａｖｏｎｅｘ（登録商標）（バイオジェン・アイデック社製））、インターフェロンアルファ−２ａ（例、Ｒｏｆｅｒｏｎ−Ａ（登録商標）（ホフマン・ラ・ロシュ社製））、インターフェロンベータ−１ｂ（例、ｂｅｔａｓｅｒｏｎ（登録商標）（Ｃｈｉｒｏｎ  Ｃｏｒｐ．  ＆  Ｂｅｒｌｅｘ  Ｌａｂｏｒａｔｏｒｉｅｓ製））、インターフェロンアルファ−２ｂ（例、Ｉｎｔｒｏｎ（登録商標）Ａ（シェリング社製））、インターフェロンアルファ−ｎ１（例、Ｗｅｌｌｆｅｒｏｎ（登録商標）（グラクソウェルカム社製））、ペグインターフェロンアルファ−２ａ（例、Ｐｅｇａｓｙｓ（登録商標）（ホフマン・ラ・ロシュ社製））及びヒト組み換えＧＭ−ＣＳＦ（例、Ｌｅｕｃｏｍａｘ（登録商標）（ノバルティス社製））から選ばれる。
【０１１２】
有利には、サイトカインは、再生医療を目的とする骨及び軟骨の誘導因子として、骨形成タンパク質（ＢＭＰ）の以下の群：：ＢＭＰ−２、−３、−３ｂ、−４、−５、−６、−７、−８、−９、−１１、−１２、−１３、−１４から選ばれ、好ましくは、ＢＭＰ−２、−４、−６、−７及び−９から選ばれる（Bessa, 1-13, 2008, Journal of Tissue Engineering and Regenerative Medecine, Bessa, 81-96, 2008, Journal of Tissue Engineering and Regenerative Medecine）。
【０１１３】
有利には、血管新生因子は、アンジオポエチン、アンギオゲニン、エフリン、Ｅ−セレクチン、線維芽細胞増殖因子（ＦＧＦ）（酸性ＦＧＦ、塩基性ＦＧＦ、ＦＧＦ３−９）、肝細胞増殖因子、インスリン様成長因子、血小板由来成長因子（ＰＤＧＦ）、トロンボスポンジン、トランスフォーミング増殖因子−β（ＴＧＦ−β）、腫瘍壊死因子−α（ＴＮＦ−α）、血管内皮細胞増殖因子（ＶＥＧＦ）（ＶＥＧＦＡ−１２１、−１４５、−１６５、−１８９、−２０６、ＶＥＧＦＢ、ＶＥＧＦＣ、ＶＥＧＦＤ、ＶＥＧＦＥ、胎盤成長因子）からなる群から選ばれる（Lei, 121-132, 2004, Basic Research in Cardiology）。
【０１１４】
核酸は、医療用途を有する高分子である。これらの治療薬としては、プラスミド（導入遺伝子を含む）、オリゴヌクレオチド、アプタマー、リボザイム、ＤＮＡザイムおよび低分子干渉ＲＮＡが挙げられる。これらの薬物は、予防的に、あるいは早い段階で疾患を軽減し、疾患の進行およびその合併症を防止するために用いることができる。治療的核酸の中で、高分子量（＞１０００塩基対）の二本鎖環状ＤＮＡであるプラスミドを体系的に区別することができる。現在のところ、腫瘍抑制ｐ５３タンパク質をコードするプラスミド（ゲンディシン）だけが、２００４年から中国で販売されている。このプラスミドは、アデノウイルス担体を用いてヒト細胞に移入された。アンチセンスオリゴヌクレオチドは１２〜２８ヌクレオチドの長さの一本鎖ＤＮＡである。唯一のアンチセンスオリゴヌクレオチドが、ＡＩＤＳ患者で誘発したサイトメガロウイルス網膜炎の治療の適応で、ビトラベン（Vitravene）（ホミビルセンナトリウム）という名前で販売されている。ＲＮＡ干渉（ｓｉＲＮＡ）は、細胞の細胞質中で分解されるメッセンジャーＲＮＡの領域に相補的な、２１〜２３ヌクレオチドの二本鎖ＲＮＡのセグメントである。製品ベバシラニブ（ＯＰＫＯ  Ｈｅａｌｔｈ，アメリカ合衆国フロリダ州マイアミ；フェーズＩＩＩ）、ＡＬＮ−ＲＳＶ０１（アルナイラム社、アメリカ合衆国マサチューセッツ州ケンブリッジ；フェーズＩＩ）で臨床試験に希望があるが、現在、市販されているｓｏ−ＲＮＡは存在しない。
【０１１５】
アプタマーは、タンパク質と特異的に相互作用し、それを不活性化する一本鎖または二本鎖ＲＮＡまたはＤＮＡである。アプタマーは、加齢黄斑の治療におけるＶＥＧＦ阻害剤として作用するものが市販されている（マクジェン、ペガプタニブ、アイテック/ファイザー）。アプタマーは、不安定な分子であり、例えば、トロンビンに対する未修飾アプタマーは、１０８秒のin vivo半減期を有する（Ng et al., 2006）。化学修飾は、ヌクレアーゼに対するそれらの安定性を高める。耐性アプタマーは、２’リボースのヒドロキシル基を、フッ素、アミノ基、メチルで修飾する、あるいはポリエチレングリコール分子を添加することにより得られる。これらの置換基により修飾されたマクジェンのアプタマーは、ヒト血漿中で１８時間の半減期を有している（Ng, 123-132, 2006, Nature Reviews）。抗体と比較して、アプタマーの合成はシンプルであり、それにより、タンパク質発現システムによる複雑な基盤を必要とする抗体とは異なりより経済的である。アプタマーは、抗体の利点（抗原認識の特異性）と、経済的な製造とを組み合わせた、「化学的抗体」として考えることができる。
【０１１６】
これらの異なるタイプすべての核酸は、本発明に基づくポリマーに担持することができる。
【０１１７】
特定の実施形態では、吸収性ポリマーは、核酸を担持するためのカチオン性ポリマー（例、ポリ（アリルアミン塩酸塩）、ポリジアリルジメチルアンモニウム、ポリエチレンイミン、ポリ（Ｌ−リジン）、ポリドーパミン、キトサンおよびポリアミドアミンデンドリマー）と、その合成中において、非共有結合的に結合する。その使用前に、ポリマーは、イオン機構により吸収される核酸を担持する。
【０１１８】
吸収性インプラントは、注射器からカテーテルのハブ又は針への送達を制御するための染料、または注射中または注射後に体内で視認性の造影剤（硫酸バリウム、タングステンまたはチタン粉末、ヨウ素化化合物、常磁性化合物（例、デキストランマグネタイト粒子）、ガドリニウム誘導体、放射性核種（radionucleide））のようなマーカーを含む。
【０１１９】
（ポリマーの形態）
本発明のポリマーは、好ましくは、フィルム状、発泡体、粒子、塊、糸状またはスポンジ状の形態であり、最も好ましくは球状粒子の形態である。球状粒子は、好ましくは、マイクロスフェアであり、即ち、膨潤時（即ち、水和時）、１ないし５０００μｍの範囲、より好ましくは５０ないし２５００μｍの範囲、通常５０ないし１０００μｍの（貪食されず、小さな針を容易に通過できる）範囲、より有利には１００ないし３００μｍ又は３００ないし５００μｍ又は５００ないし７００μｍ又は７００ないし９００μｍ又は９００ないし１２００μｍの範囲の直径を有するマイクロスフィアである。球状粒子は、針やカテーテルによって注射するのに十分に小さい直径（特に、小さな針の直径）を有し、マクロファージによる貪食を防ぐのに十分な大きさである必要がある。球状粒子は膨潤後に注射することができ、したがって、この場合、その直径が１００ないし３００μｍになり得る。また、それらを主に移植後、創傷、間質媒体および血液体液からの流体などの生理学的流体を吸収することによって膨潤させるため、注射前に、それらの膨潤を、例えば、液体吸収能力の総容量の約５０％に制限してもよい。
【０１２０】
膨潤させるために、本発明のポリマーは、好ましくは、制御された方法で、水のような液体を吸収してもよく、特に、ヒトまたは動物の体内に注射することができる、生理食塩水、緩衝溶液、グルコース溶液、血漿、イオン性または非イオン性のヨード造影剤、磁気共鳴イメージングのための酸化鉄系造影剤、薬剤の溶液、または任意の無菌の非発熱物質溶液のような通常使用される溶液から吸収してもよい。定義された限られた量の水が本発明のポリマーによって吸収されるため、ポリマーは球状粒子である場合、膨潤時の直径を予測することができる。
【０１２１】
（ポリマーの医薬と治療の用途）
有利にはまた、本発明のポリマーの吸収は、加水分解に依存し、酵素のメカニズムには依存しない。したがって、吸収速度は、上記定義の生体吸収性架橋剤とモノマーの種類および量を調整することによって、容易に制御することができる。
【０１２２】
それと同時に有利には、本発明のポリマーの吸収は、上記定義の生体吸収性架橋剤とモノマーの種類および量に応じて、数時間から数週間あるいは数ヶ月の範囲で変動し得る。さらに、ポリマーの分解生成物は、非毒性でかつ迅速に排泄されるので、本発明のポリマーは、移植の際の限られた局所炎症反応のみが生じる。
【０１２３】
このように定義された医薬組成物は、有利には、注射による投与のために意図された、医薬上許容される担体を含んでいる。
【０１２４】
医薬上許容される担体の例としては、注射用水、生理食塩水、デンプン、ヒドロゲル、ポリビニルピロリドン、多糖類、ヒアルロン酸エステルおよびプラズマが挙げられるが、これらに限定されるものではない。また、医薬組成物は、Ｘ線、ＭＲまたはＵＳイメージング用の造影剤、緩衝剤、防腐剤、ゲル化剤、界面活性剤を含有し得る。有利には、医薬上許容される担体は、生理食塩水または注射用水である。
【０１２５】
医薬組成物は、注射のために許容される粘度を有する必要がある。特に、クエット粘度計にて２５℃で測定した場合に、１０ないし１００ｃＰの間であってもよく、より有利には、２０ないし３０ｃＰの範囲であり得る。
【０１２６】
特に、注射用医薬組成物は、
（ａ）  高分子が担持されており或いは担持されておらず、完全膨潤または限定した膨潤時に５０ないし５００μｍの直径の球状形態を有し、２日ないし３週間の吸収時間を有する本発明のポリマー；
（ｂ）  高分子が担持されており或いは担持されておらず、完全膨潤または限定した膨潤時に５０ないし５００μｍの直径の球状形態を有し、１か月ないし３か月の吸収時間を有する本発明のポリマー；および
（ｃ）  少なくとも１種の医薬上許容される賦形剤
［ここで、ポリマー（ａ）又は（ｂ）の少なくとも一方が、高分子を担持し、有利には、ポリマー（ａ）が、高分子を担持している。］
を含む。
【０１２７】
ポリマー（ａ）および（ｂ）の両方が高分子（高分子は同一又は異なっている）を担持し得る。
【０１２８】
特に、薬学的賦形剤は、例えば、せいぜい１週間の吸収時間を有するヒドロゲルであり得る。
【０１２９】
有利には、ポリマー（ａ）の粒子およびポリマー（ｂ）の粒子は、同じ密度を有する。
【０１３０】
特定の有利な実施形態では、ポリマー（ａ）および（ｂ）の球状粒子は、完全膨潤または限定した膨潤時にすべて同じ直径を有し、特に、１００ないし３００μｍの範囲、或いは３００ないし５００μｍの範囲、より有利には、１００ないし３００μｍの範囲から選ばれる直径を有する。
【０１３１】
医薬組成物におけるポリマー（ａ）および（ｂ）の割合は、２０ないし８０重量％、有利には、４０ないし７０重量％、さらに有利には、６０重量％であり得る。
【０１３２】
別の有利な実施形態では、ポリマー（ａ）の割合は、医薬組成物中のポリマー（ｂ）の割合と同じである。
【０１３３】
別の有利な実施形態では、それらの割合がそれぞれ異なっている。この場合には、例えば、それぞれの比は、ポリマー（ａ）＋（ｂ）の総量に対して、ポリマー（ａ）が６０ないし８０重量％、有利には７０重量％であり、ポリマー（ｂ）が２０ないし４０重量％、有利には３０重量％である。
【０１３４】
特定の実施形態では、ポリマー（ａ）および（ｂ）の球状粒子は同一の直径ではない。有利には、ポリマー（ａ）の球状粒子の直径が、１００ないし３００μｍであり、ポリマー（ｂ）の球状粒子の直径が、３００ないし５００μｍである。
【０１３５】
別の有利な実施形態では、ポリマー（ａ）の球状粒子は全て同一の直径ではない。これらの一部が、１００ないし３００μｍの直径を有し、その他が、３００ないし５００μｍの直径を有し、有利には、これらの半分が、１００ないし３００μｍの直径を有し、その他半分が、３００ないし５００μｍの直径を有する。
【０１３６】
本発明に係る特定の組成物において、ポリマー（ａ）の球状粒子およびポリマー（ｂ）の球状粒子は、すべて１００ないし３００μｍの直径を有し、ポリマー（ａ）の粒子の割合は７０重量％であり、ポリマー（ｂ）の粒子の割合は３０重量％である。
【０１３７】
本発明に係る別の特定の組成物において、ポリマー（ａ）の球状粒子およびポリマー（ｂ）の球状粒子は、すべて３００ないし５００μｍの直径を有し、ポリマー（ａ）の粒子の割合は７０重量％であり、ポリマー（ｂ）の粒子の割合は３０重量％である。
【０１３８】
本発明に係るさらに特定の組成物において、ポリマー（ａ）の球状粒子は、すべて１００ないし３００μｍの直径を有し、ポリマー（ｂ）の球状粒子は、すべて３００ないし５００μｍの直径を有し、ポリマー（ａ）の粒子の割合は５０重量％であり、ポリマー（ｂ）の粒子の割合は５０重量％である。
【０１３９】
本発明に係るなおさらに特定の組成物において、ポリマー（ａ）の球状粒子の半分は、すべて１００ないし３００μｍの直径を有し、その他半分は、すべて３００ないし５００μｍの直径を有し、ポリマー（ｂ）の球状粒子は、すべて３００ないし５００μｍの直径を有し、ポリマー（ａ）の粒子の割合は５０重量％であり、ポリマー（ｂ）の粒子の割合は５０重量％である。
【０１４０】
この医薬組成物は、注射後、注射部位でデポ（ｄｅｐｏｔ）を形成する。
【０１４１】
これらの組成物は、特に、しわ、小じわ、皮膚のひび割れ、皮膚のくぼみ、リポジストロフィー、顔面半側萎縮症、及び／又は傷跡（特にニキビ痕）の充填、カモフラージュ及び／又は修正、皮膚の凹凸の平滑化のため、及び／又は細胞培養及び／又は再生医療のためのマトリクスとして有用である。実際には、ポリマー（ａ）の粒子の大部分は、デポ（ｄｅｐｏｔ）において、組織の内部成長を促進するためにその場ですぐに吸収される。特に、組織の内部成長を増加させるために、担持された高分子は、成長因子（ＶＥＧＦ、ｂＦＧＦ、ＴＧＦ−β、ＰＤＧＦ、インスリン、アンジオポエチン）からなる群から選択される。
【０１４２】
吸収は、体がデポ（ｄｅｐｏｔ）を異物ではなくマトリクスとして認識するのを助けるための３つのフェーズで進行し、生じる。
【０１４３】
注射後、数段階のフェーズが存在する：
急性フェーズ（数日）の間、組成物は塞栓効果を有している。ポリマー（ａ）の粒子の膨潤およびより低い程度でポリマー（ｂ）の粒子の膨潤により、組成物が水を取り込む（制御されている）。本発明の移植された組成物に対してタンパク質吸着、細胞接着もある。
第二フェーズ（これは数週間または数ヶ月つづく）の間、ポリマー（ａ）の粒子の吸収が起こり、細胞（例えば線維芽細胞）によるその浸透を促進する塞栓の孔が形成され、コラーゲン沈着および線維化（最初のネットワーク構造）が開始する。ポリマー（ａ）の粒子は、コラーゲンまたはヒアルロン酸の相によって置き換えられる。これらの粒子は、非常に柔軟であり、注射およびポリマー（ｂ）粒子の安定性を促進する粘着性ゲルとして働く、ように設計されている。これらの粒子の割合は、デポ（ｄｅｐｏｔ）に向けた全体的な炎症反応を避けるために比較的低く維持される。第三フェーズにおいて、さらなる数か月の間、ポリマー（ｂ）の粒子の吸収がおこり、組織成長と血管新生（血管結合組織の内部成長）により全置換のための新しいチャネルが開かれ得る。
【０１４４】
この種の組成物により、注射後に得られるデポ（ｄｅｐｏｔ）の空孔は、継時的に増加し、さらに、本発明に係るポリマーが吸収される。吸収速度と吸収の重要性は、組成物の調製に有用なポリマーによって制御され、それゆえ、それらの吸収時間によって制御される。吸収時間は、ポリマーの調製のために使用されるモノマーの種類に依存し、特に、架橋剤の種類および量に依存する。
【０１４５】
したがって、本発明に係るポリマーにより、様々なサイズおよび吸収時間を有する吸収性マイクロスフェアの組み合わせの注射可能な懸濁液を得ることができ、組織骨格またはマトリクスを移植後その場で制御された様式で作ることことでき、組織の内部成長（組織の内部成長は、ポリマーに担持された高分子の制御放出によって増加する。）によりコロニーを作るように設計された多孔質構造に、吸収されることにより変化する。組織の内部成長を促進させるために、本発明に基づくポリマーに上記定義の高分子を担持させることができる。この放出では、それらを含むポリマーの吸収率に応じて、到達速度の点を制御することができる。異なる高分子を含むいくつかのポリマーの組み合わせが、一連の高分子送達を達成するために用いられる。例えば、創傷被覆用の組成物では、最初の週にＶＥＧＦが送達され、後の週にＴＧＦ−β、ＰＤＧＦまたはＢＦＧＦが送達されることが保証され得る。
【０１４６】
孔の構造の性質（孔径、孔の接続、出現時間）は、いくつかの要因（吸収性マイクロスフェアの性質、懸濁液中の関連する異なる吸収性マイクロスフィアの割合、異なる吸収性マイクロスフィアの大きさ）を制御することによって設計される。
【０１４７】
また、本発明はインプラントに関し、特に、皮膚、またはその他の組織および器官（特に、腎臓や肝臓のような深部器官、脳、脊髄、骨欠損、身体の解剖学的スペース（例、腹膜および髄膜スペース）、体腔、管および血管）への移植のためのインプラントに関する。インプラントはポリマーに担持された高分子を用いた治療が必要な場所に移植される。
【０１４８】
この種のインプラントを用いた局所治療は、それらの局所の点で、骨のような殆どアクセスできない、皮膚のような体の表面とは異なる組織、あるいは腎臓や肝臓のような深部器官に関する。器官へのアクセス性は、異なり、ｂＦＧＦ、ＶＥＧＦまたはＥＧＦのような高分子による創傷包帯が必要な場合、皮膚に関しては、極めてアクセスが容易であり、骨治療のためのタンパク質の送達に関して、はより侵襲的であり、内部器官（肝臓、肺）の腫瘍の周囲に細胞毒性剤または抗血管新生剤を局所的に供給するもっともらしい外科手術を必要とする。したがって、ポリマーの特性（形状、組成、分解性、放出性）は異なり、特定の治療に適応される。
【０１４９】
目的の治療用途又は化粧用途のタイプに応じて、適用部位が異なる。目的の用途が顔に関する場合、インプラントを軟組織に注射し、特に、皮下または皮内に注射する。
【０１５０】
インプラントを組織に注射する場合、組織の体積が増加し得る。
【０１５１】
特定の実施形態において、医薬組成物は、凍結乾燥の形態のような乾燥形態の本発明のポリマーを含む。
【０１５２】
本発明の医薬組成物は、好ましくは、塞栓術のフレームにおいて用いられ、特に、子宮動脈塞栓術（ＵＡＥ）または止血に用いられ得る。また、良性または悪性腫瘍、動静脈奇形、消化管出血、鼻出血、一次産後出血および／または外科的出血の治療に用いることができる。
【０１５３】
また、本発明の医薬組成物は、好ましくは、癌の治療に使用される。この場合、治療は、本発明のポリマーに担持された抗がん高分子の送達によって、場合によっては塞栓（特に、反復塞栓）によって、行われてもよい。特に対象となる癌は、肝臓病変（典型的には、肝細胞癌（ＨＣＣ））、腎臓病変および／または子宮筋腫からなる群から選択される。
【０１５４】
また、本発明は、しわ、小じわ、皮膚のひび割れ、皮膚のくぼみ、リポジストロフィー、顔面半側萎縮症及び／又は傷跡（特にニキビ痕）の充填、カモフラージュ及び／又は修正、皮膚の凹凸を平滑化するための、及び／又は細胞培養及び／又は再生医療のためのマトリクスとしての、上記のインプラントの使用、本発明に係るポリマーの使用、または上記の組成物の使用に関する。
【０１５５】
本発明の特定の形態では、特に、美容外科、皮膚科、リウマチ科および消化器科で有用な、細胞培養のためのマトリクスとして、本発明に係るポリマーおよび／または組成物および／またはインプラントを用いることが可能である。実際に、本発明に係る吸収性ポリマーは、特に、上記のような組成物の形態で、各種細胞の増殖をサポートするための優れた三次元の基質である。しかしながら、あまり適切ではないとしても、ＰＣＴ／ＥＰ２０１０／０６３２２７に記載されたポリマーが、この種の適用のために使用できる。
【０１５６】
美容外科では、シワやくぼみに充填するためのインプラントとしての適用を挙げることができる。
【０１５７】
皮膚科では、慢性創傷の治療に使用することができる：マトリクスとして、治療プロセスのタンジェンシャルな進行、および肥大治療の際の出芽の防止が可能になる。
【０１５８】
リウマチ科および整形外科において、細胞培養のためのマトリクスとして、本発明に係るポリマーおよび／または組成物および／またはインプラントを用いることが、軟骨誘導による軟骨の修復に特に適している。
【０１５９】
骨、軟骨、皮膚およびその他器官の再構築のための移植可能な骨格として設計された組織を得るための、自己細胞の細胞成長のための三次元の基質としてのポリマーおよび／または組成物および／またはインプラントの適用に関する。
【０１６０】
また、本発明に係るポリマーおよび／または組成物および／またはインプラントは、様々な軟組織の修復または増大の処置のために用いることができ、特に、例えば、傷跡のカムフラージュ、くぼみの充填、凹凸の平滑化、顔面半側萎縮症、顔面リポジストロフィーにおける非対称の矯正、加齢によるしわのカムフラージュのように、顔面組織において用いることができる。なお、加齢、外傷、疾患またはその他の異常によって変形した軟組織に対して形態および／または機能を回復させる再建手術に用いることができる。また、顔の脂肪の喪失（脂肪組織萎縮症）の代わりとすることができ、例えば、老齢や病気の理由から、脂肪、コラーゲンや筋肉の喪失に苦しむ患者の軟組織の領域にボリュームを与えることで代わりとすることができる。
【０１６１】
（定義）
本明細書で用いられる、用語「アルキル」とは、示された数の炭素原子を有する直鎖又は分枝鎖の飽和の一価の炭化水素ラジカルを言う。例えば、用語「Ｃ１−６−アルキル」は、Ｃ１、Ｃ２、Ｃ３、Ｃ４、Ｃ５及びＣ６アルキル基を示す。限定されない例として、望ましいアルキル基としては、メチル、エチル、プロピル、イソ-プロピル、ブチル、イソ-ブチル、tert-ブチル、ペンチル及びヘキシルが挙げられる。本発明の一形態では、アルキル基の範囲は：Ｃ１−６−アルキル、Ｃ１−５−アルキル、Ｃ１−４−アルキル、Ｃ１−３−アルキル及びＣ１−２−アルキルである。
【０１６２】
本明細書で用いられる、用語「アリール」とは、縮合していてもよいまたは二環式の一個、二個又は三個の環を有する一価の不飽和の芳香族炭素環ラジカルを言う。本発明の一形態では、用語「アリール」とは、５又は６個の炭素原子を含む芳香族単環式の環、７、８、９又は１０個の炭素原子を含む、芳香族二環式の又は縮合した環系、又は１０個以下の炭素原子を含む芳香族三環式の環系を言う。限定されない例として、望ましいアリール基としては、フェニル、ビフェニル、アントラセニル、チオフェニルが挙げられる。本発明の一形態では、アリール基の範囲は：Ｃ５−２０−アリール、Ｃ５−１０−アリール、Ｃ５−８−アリール及びＣ６−７−アリールである。
【０１６３】
用語「（５−３０員）ヘテロアリール」とは、少なくとも一個のヘテロ原子（hetereo atom）（特に、Ｏ、Ｎ又はＳ）、有利には二個のヘテロ原子、特に、３個のヘテロ原子を含む、縮合していてもよいまたは二環式の、一個、二個、三個またはそれより多くの環を有する５ないし３０員を含む一価の不飽和の芳香族ヘテロ環ラジカルを言う。適切に、用語「ヘテロアリール」は、少なくとも一員がＮ、Ｏ又はＳ原子であり、一個、二個または三個のさらなるＮ原子を含んでいてもよい５員を含む芳香族の単環式の環系、１、２又は３員がＮ原子である６員の芳香族の単環式の環、少なくとも１員がＮ、Ｏ又はＳ原子であり、１、２又は３個のさらなるＮ原子を含む９員を有する芳香族の二環式の環又は縮合環、又は１、２又は３員がＮ原子である１０員を有する芳香族の二環式の環である、ヘテロアリール部分を含む。限定されない例として、望ましいヘテロアリール基としては、フラニル、ピリジル、フタルイミド、チオフェニル、ピロリル、イミダゾリル、ピラゾリル、チアゾリル、イソチアゾリル、オキサゾリル、オキサジアゾリル、ピロニル、ピラジニル、テトラゾリル、チオナフチル、ベンゾフラニル、インドリル、オキシインドリル、イソインドリル、インダゾリル、インドリニル、アザインドリル、ベンゾピラニル、クマリニル、イソクマリニル、キノリル、イソキノリル、シンノリニル、キナゾリニル、ベンゾオキサジニル、クロメニル、クロマニル、イソクロマニル、チアゾリル、イソオキサゾリル、イソオキサゾロニル、イソチアゾリル、トリアゾリル、オキサジアゾリル、チアジアゾリル、トリアジルカルバゾール、ポルフィリン、トリフェニレン及びピリダジルが挙げられ、有利には、ピリジン、カルバゾール、ポルフィリン、トリフェニレンが挙げられる。
【実施例】
【０１６４】
実施例１
１．ＨＥＭＡ／ＰＥＧＭ法による生体吸収性架橋剤の合成：
第一工程：
マグネチック撹拌バーを備えた乾燥シュレンク中、ラクチド (2.22 g ; 0.0154 mol)及びヒドロキシエチルメタクリレート (0.75 mL; 0.0062 mol)を、窒素下、5mlのトルエンに溶解した。上記の系に、Sn(Oct)2 (8mg)のトルエン溶液を導入することにより反応を開始した。90℃で20時間後、5mlのクロロホルムを加え、反応混合物を希釈し、形成したポリマーを大量の石油エーテルで沈殿させることにより精製した。収率 94%. 
1H NMR in CD3COCD3: 1.53 (m, CH3, PLA), 1.91 (s, CH3, メタクリレート), 4.38 (m, CH2, HEMA), 5.17 (m, CH, PLA), 5.65-6.10 (m, CH2=C).
【０１６５】
第二工程：
さらに、第一工程で形成したポリマーを、メタクリロイルクロリドと反応させることにより、ＰＬＡ鎖の終端のヒドロキシル基を修飾した。予め形成したポリマー (1.07mmolのOH 基, 1eq.) を、マグネチックスターラー及び滴下ロートを備えた三つ口フラスコにて、無水 CH2Cl2(2.5ml) に溶解した。フラスコの内容物を0℃に冷却し、トリエチルアミン (1.5eq.; 0.0016 mol) を加えた。溶液を撹拌し、次いでCH2Cl2(2.5ml) 中メタクリロイルクロリド (1.5eq.; 0.0016 mol) を溶液に滴下した。0℃で1時間、次いで室温で一晩撹拌した。トリエチルアミン塩をろ去し、ポリマーを大量の石油エーテルで析出させた。収率: 95%. 
1H NMR in CD3COCD3: 1.53 (m, CH3, PLA), 1.91 (m, CH3, メタクリレート), 4.39 (m, CH2, HEMA), 5.17 (m, CH, PLA), 5.65-6.16 (m, CH2=C).
【０１６６】
２．ＰＥＧ法による生体吸収性架橋剤の合成：
第一工程：
マグネチック撹拌バーを備えた乾燥シュレンク中、PEG600 (10 g ; 0.0167 mol)を、触媒として第一スズオクトアート (114 mg) を用いて、115℃で20時間、アルゴン下、d,l-ラクチド (7.2 g ; 0.05 mol)及びグリコライド (5.8 g; 0.05 mol)と反応させた。次いで、ポリマーをクロロホルムに溶解し、大量の石油エーテル / ジエチルエーテル (50/50)、次いで精製石油エーテルで析出させた。
1H NMR in CDCl3: 1.55 (m, CH3, PLA), 3.64 (m, CH2, PEG), 4.25 (m, CH2, PEG), 4.80 (m, CH2, PGA), 5.20 (m, CH, PLA)
【０１６７】
第二工程:
さらに、第一工程で形成されたポリマーを、メタクリル酸無水物と反応させることにより、PLGAの終端のヒドロキシル基を修飾した。通常の反応で、予め形成したポリマー (4.91 g)を、マグネチックスターラーを備えた乾燥シュレンク管で、脱気された酢酸エチル (25 ml)に溶解した。フラスコの内容物を0℃に冷却し、メタクリル酸無水物 (3.3 ml.; 0.022 mol)を、アルゴンフロー下、溶液に滴下した。0℃で1時間、次いで80℃で6時間撹拌した。冷却後、ポリマーを大量の石油エーテルで三回析出させた。
1H NMR in CDCl3: 1.56 (m, CH3, PLA), 1.94 (m, CH3, メタクリレート), 3.63 (m, CH2, PEG), 4.29 (m, CH2, PEG), 4.80 (m, CH2, PGA), 5.20 (m, CH, PLA), 5.64-6.15 (m, CH2=C)
【０１６８】
一連の生体吸収性架橋剤を、ＰＥＧの分子量、ならびに吸収性セグメントの長さ及び化学成分を変化させることにより合成した（表１）。
【０１６９】
【表１】
2014511427.tif 000006
【０１７０】
実施例２：吸収性ヒドロゲルの合成：
１．有機溶媒中Ｇ＃１
吸収性架橋剤PEG22PLGA12(5 % mol) を1 mlトルエンに溶解し、窒素下で脱気した。ここに、ポリ(エチレングリコール) メチルエーテルメタクリレート Mw 300 (95 % mol)及びヘキサンチオール (3 % mol /molのPEGMA)を加えた。1 % molのAIBNを1 mlのトルエンに溶解し、モノマー溶液に加えた。混合物を8 時間80℃で加熱した。放冷後、ポリマーをアセトン次いで蒸留水で二回洗浄した。
【０１７１】
50 mlの0.1N NaOHを含むガラス製バイアルに撹拌下37℃で設置されたヒドロゲルディスク (厚さ7 mm及び直径21 mm)は、10分で完全に分解した（目視できる残渣が存在しない）。
【０１７２】
２．水性溶媒中Ｇ＃２
吸収性架橋剤PEG22PLGA8(0.33 g, 0.2 mmol) を、3 ml 蒸留水に溶解し、窒素下で脱気した。ここに、ポリ(エチレングリコール) メチルエーテルメタクリレート Mw 475 (1.9 g, 4 mmol)、テトラメチルエチレンジアミン (12 μl)及びチオグリコール酸 (10 mg)を加えた。180 mgのペルオキソ二硫酸アンモニウムを0.2 mlの蒸留水に溶解し、モノマー溶液に加えた。混合物を30分間40℃で加熱した。放冷後、ポリマーを蒸留水で洗浄し、凍結乾燥した。
【０１７３】
10 mlの0.1N NaOHを含むガラス製バイアルに設置したヒドロゲルディスク (厚さ4 mm及び直径10 mm) は、10分で完全分解した（目視できる残渣が存在しない）。
【０１７４】
実施例３：直接懸濁重合による吸収性マイクロスフェア
１．吸収性マイクロスフェアの調製
0.5% ポリビニルアルコール (88% 加水分解) 水溶液 (120ml) (3% NaCl含有) を250ml 反応器に導入し、15分間窒素雰囲気下で静置した。ポリ(エチレングリコール)メチルエーテルメタクリレート、吸収性架橋剤、連鎖移動剤 (3 % mol /molのPEGMA)及び7.5mlのトルエンに溶解した1 mol% AIBNを含むモノマー相を、15分間溶液に窒素をバブリングし脱気した。モノマー相を80℃で水相に加え、8時間撹拌した。混合物を熱時ろ過し、アセトン及び水で洗浄した。次いで、ビーズを凍結乾燥した。 
【０１７５】
一連の吸収性マイクロスフェアを架橋剤及びＰＥＧモノマーの性質を変化させることにより合成した（表２）。
【０１７６】
【表２】
2014511427.tif 000007
【０１７７】
これらマイクロスフェアの分解速度を、架橋剤の化学成分及び/又はPEGモノマーの性質を変化させることにより、1日ないし4か月に調製することができる。例えば、DEGMAを含むマイクロスフェア(MS#1)の分解は、PEGMA300で作られたマイクロスフェア(MS#2)より遅かった。PLA (MS#3)で作られた吸収性セグメントは、PLGA (MS#2)を含む架橋剤と比較して、マイクロスフェアの分解を遅らせた。吸収性架橋剤におけるPEGの長さはマイクロスフェアを結果的に変化させた：PEG13 (MS#2)に対してPEG22 (MS#4)を用いるとより速い分解が起こる。
【０１７８】
環状モノマーは、吸収速度を大きく変化させない。さらに、環状モノマーは、分解後に残ったポリマー鎖の分子量を減少させる。
【０１７９】
２．サイズの制御
撹拌速度、モノマー相に対する水の割合、及びポリビニルアルコール安定剤の濃度を単に変化させることにより、粒径範囲で鋭いサイズ分布を完全に達成することができる。粒径分布は、25℃でMastersizer S apparatus (Malvern Instrument Ltd.) のレーザー回析により決定した。乾燥ビーズを、水に分散し、測定前に15分間膨潤させた。各注入をそれぞれ3回分析した。
【０１８０】
これらの要素の組み合わせにより、220 μm (260 rpm, O/W = 1/11)から、317 μm (215 rpm, O/W = 1/8)、614 μm (160 rpm, O/W = 1/6)、および1144 μm (120 rpm, O/W = 1/6)の平均サイズの範囲に調整することができる。
【０１８１】
実施例４：逆懸濁重合による吸収性マイクロスフェアＭＳ＃９の調製
88 mlのパラフィンオイルに溶解したSpan80（登録商標） (0.2 w%)の溶液を、250 ml 反応器に導入し、窒素雰囲下で15分間静置した。7.5 mlの水に溶解した、ポリ(エチレングリコール)メチルエーテルメタクリレート Mw475 (4,47 g, 95 %mol)、PEG22-PLGA8架橋剤 (0.86 g, 5%mol)、メルカプトブタノール(29μl, 3 % mol / PEGMAのmol)及び1wt% ペルオキシド二硫酸アンモニウムを含むモノマー相を、15分間溶液に窒素をバブリングすることにより脱気した。モノマー相を70℃で有機相に加え、2時間撹拌した。混合物を熱時ろ過し、水およびアセトンで洗浄した。次いで、ビーズを凍結乾燥した。
【０１８２】
実施例５：イオン性吸収性マイクロスフェアの合成
イオン性モノマーをトルエン相に加えた点を除いて、直接懸濁重合により、実施例３と同様の手順で行った（表３）。
【０１８３】
【表３】
2014511427.tif 000008
【０１８４】
様々な量のMDO及び異なるアニオン性モノマーを含むマイクロスフェアの合成に成功した。それらの緩衝生理食塩水における分解速度は、MDOの量には影響されなかったが、ポリマーマトリクスのより高い親水性組成物に由来するイオン性モノマーの量に影響された。
【０１８５】
実施例６：シクロデキストリンを含む吸収性ヒドロゲルの合成
１．モノメタクリレートβ−シクロデキストリンの調製
モノマーをすでに開示された方法と同様に合成した(Ren et al. Journal of polymer science, part A 2009, 4267-4278)。
工程1. 収率 = 51%. 1H NMR (300 MHz, DMSO-d6): 7.74 (d, 2H, トシル), 7.45 (d, 2H, トシル), 4.84-4.77 (m, 7H, O-CH-O), 3.70-3.45 (m, 28H), 3.40-3.20 (m, 14H), 2.43 (s, 3H, Ph-CH3)
【０１８６】
工程2. 収率 = 69% 1H NMR (300 MHz, D2O): 9,26 (s, CHO), 5.20-5.10 (m, 7H, O-CH-O), 4.04-3.90 (m, 26H), 3.73-3.60 (m, 14H)
【０１８７】
工程3. 収率 = 71%. 1H NMR (300 MHz, D2O): 6.22 (s, =CH), 5.89 (s, =CH), 5.11 (d, 7H, O-CH-O), 4.04-3.88 (m, 28H), 3.71-3.59 (m, 14H), 3.05 (s, 2H, CH2-OCO), 2.90 (s, 2H, CH2-NH), 2.04 (s, 3H, CH3-C=)
【０１８８】
２．モノメタクリレートβ−シクロデキストリンを伴う吸収性ヒドロゲルの調製Ｇ＃３
モノメタクリレートβ-シクロデキストリンを4.5 mlの蒸留水/DMSO (3/1 vol)に溶解した。ここに、吸収性架橋剤PEG22-PLGA8 (0.33 g, 0.2 mmol)、ポリ(エチレングリコール) メチルエーテル メタクリレート Mw 475 (1.71 g, 3.6 mmol)、2-メチレン-1,3-ジオキセパン (0.023 g, 0.2 mmol)、テトラメチルエチレンジアミン (12 μl)及びチオグリコール酸 (10 mg)をこの順番で加えた。180 mgのペルオキソ二硫酸アンモニウムを0.5 mlの蒸留水に溶解し、モノマー溶液に加えた。混合物を40℃で30分間加熱した。冷却後、ポリマーを蒸留水で洗浄し、凍結乾燥した。
【０１８９】
10 mlの0.1N NaOHを含むガラス製バイアルに設置したヒドロゲルディスクG#3 (4 mm厚さ及び10 mm 直径)は、10分で完全に分解した（目視できる残渣が存在しない）。
【０１９０】
実施例７：クラウンエーテルを含む吸収性ヒドロゲルの合成
１．１８−クラウン−６−メタクリレートの調製
2-ヒドロキシメチル-18-クラウン-6 (1 mmol)を、マグネチックスターラーを備えたシュレンク管中で、脱気したCH2Cl2(10 mL)に溶解した。フラスコの内容物を0℃に冷却し、トリエチルアミン (3 mmol)を加えた。溶液を撹拌し、次いで、メタクリロイルクロリド (3 mmol)を溶液に滴下した。0℃で2時間、次いで、室温で終夜撹拌し続けた。反応混合物を1M HCl 溶液で抽出し、水、次いで、飽和Na2CO3溶液で洗浄し、MgSO4で乾燥した。ろ過し、溶媒をエバポレーションし、残渣をシリカゲルクロマトグラフィー (CHCl3/MeOH 9/1溶離液)で精製し、194 mg (収率 54%)の2-メチルメタクリレート-18-クラウン-6を得た。1H NMR (300 MHz, CDCl3): 6.11 (s, 1H, =CH2), 5.57 (s, 1H, =CH2), 4.32-4.15 (m, 2H, CH2-OCO), 3.81-3.68 (m, 23H, CH2-O), 1.95 (s, 3H, CH3)
【０１９１】
２．クラウンエーテルでの吸収性ヒドロゲルＧ＃４の調製
吸収性架橋剤PEG22-PLGA12(0.22g, 0.125 mmol)を0.8 mlトルエンに溶解し、窒素下で脱気した。ここに、クラウンエーテル メタクリレート (0.27g, 0.75 mmol)、ポリ(エチレングリコール) メチルエーテル メタクリレート Mw 300 (0.49g, 1.62 mmol)、2-メチレン-1,3-ジオキセパン(14.3 mg, 0.125 mmol)及びヘキサンチオール (7 μl)を加えた。2 % molのAIBNを、0.2 mlのトルエンに溶解し、モノマー溶液に加えた。混合物を80℃で8時間加熱した。放冷後、ポリマーを２回アセトン次いで蒸留水で洗浄した。
【０１９２】
10 mlの0.1N NaOHを含むガラス製バイアルに設置したヒドロゲルディスク (4 mm厚さ及び10 mm 直径)は、12時間で完全に分解した（目視できる残渣が存在しない）。
【０１９３】
実施例８：ＰＥＩを含む吸収性ヒドロゲルの合成
吸収性架橋剤PEG22PLGA8(5 %mol)を3 ml蒸留水に溶解し、窒素下で脱気した。ここに、ポリエチレンイミン (PEI)、ポリ(エチレングリコール) メチルエーテル メタクリレート Mw 475 (95 %mol)、テトラメチルエチレンジアミン (7 μl)及びチオグリコール酸 (12 μl)を加えた。1.5 %molのペルオキソ二硫酸アンモニウムを0.5 mlの蒸留水に溶解し、モノマー溶液に加えた。混合物を40℃で30分間加熱した。放冷後、ポリマーを蒸留水で洗浄した。
【０１９４】
10 mlの0.1N NaOHを含むガラス製バイアルに設置したヒドロゲルディスク (4 mm厚さ及び10 mm直径)は、2分で完全に分解した（目視できる残渣が存在しない）。一連のゲルをＰＥＩの量を増加させて合成した（表４）。
【０１９５】
【表４】
2014511427.tif 000009
【０１９６】
実施例９：トリプシンを含む吸収性ヒドロゲルの合成
吸収性架橋剤PEG22PLGA8 (5 %mol)を11.5 ml蒸留水に溶解し、窒素で脱気した。ここに、トリプシン、ポリ(エチレングリコール) メチルエーテル メタクリレート Mw 475 (95 %mol)、テトラメチルエチレンジアミン (30 μl)及びチオグリコール酸 (26 mg)を加えた。1.5 %molのペルオキソ二硫酸アンモニウムを、0.5 mlの蒸留水に溶解し、モノマー溶液に加えた。混合物を40℃で30分間加熱した。放冷後、ポリマーを蒸留水で洗浄した。
10 mlの0.1N NaOHを含むガラス製バイアルに設置したヒドロゲルディスク (4 mm厚さ及び10 mm直径)は、2分で完全に分解した（目視できる残渣が存在しない）。一連のゲルをトリプシンの量を増加させて合成した（表５）。
【０１９７】
【表５】
2014511427.tif 000010
【０１９８】
実施例１０：ｂＦＧＦを含む吸収性ヒドロゲルの合成
吸収性架橋剤 PEG22PLGA8(5 %mol)を、14 ml蒸留水に溶解し、窒素下で脱気した。ここで、bFGF、ポリ(エチレングリコール) メチルエーテルメタクリレート Mw 475 (95 %mol)、テトラメチルエチレンジアミン (30 μl)及びチオグリコール酸 (30 mg)を加えた。1.5 %molのペルオキソ二硫酸アンモニウムを0.5 mlの蒸留水に溶解し、モノマー溶液に加えた。混合物を40℃で30分間加熱した。放冷後、ポリマーを蒸留水で洗浄した。
【０１９９】
10 mlの0.1N NaOHを含むガラス製バイアルに設置したヒドロゲルディスク (4 mm厚さ及び10 mm直径)は、10分で完全に分解した（目視できる残渣が存在しない）。一連のゲルをｂＦＧＦの量を増加させて合成した（表６）。
【０２００】
【表６】
2014511427.tif 000011
【０２０１】
実施例１１：吸収性マイクロスフェアでのＡｖａｓｔｉｎ（登録商標）の担持
ベバシズマブ (Avastin（登録商標）)は、ヒト化モノクローナルIgG 抗体であり、アイソフォームそれぞれの見かけの等電点(pI)の値は、8.26、8.45及び8.59である (Vlckova et al., 2008 J. Chromatogr. A, 1181: 145-152)。pH 7で、抗体は正の電荷を帯びており、アニオン性マイクロスフェアに固定され得る。
【０２０２】
１．抗体の担持
水中、100 μLの実施例3及び5記載の滅菌マイクロスフェア (100 -300 μm)を1 mLの水とpH 7にて混合し、抗体溶液 (Avastin（登録商標） 25 mg/mL, ロシュ)を加えた。混合し、試験管を、37℃で1時間撹拌しながら水平にインキュベートした。水中に残った抗体を、標準タンパク質としてBSAを用いてビシンコニン酸法 (BCAタンパク質試薬, シグマ)にて決定した（表７）。
【０２０３】
【表７】
2014511427.tif 000012
【０２０４】
抗体の結合が、メタクリル酸を含むマイクロスフェア(MS#12及び14)で生じ、静電結合が、正電荷を帯びた抗体と、アニオン性MSのカルボン酸官能基との間で形成することが示唆される。逆に、メタクリル酸を含まないMS (MS#2及び3)では抗体の固定が殆どあるいは全く観察されなかった。ベバシズマブのアニオン性マイクロスフェアへのイオン結合が、金の標準的な塞栓粒子HepaSphereTM/ QuadraSphereTMにて実証された。興味深いことに、PLGA吸収性架橋剤で構築された吸収性アニオン性マイクロスフェアは、ベバシズマブの固定のためにより効率的であるようである。
【０２０５】
２．マイクロスフェアからの抗体放出評価
担持媒体を除去し、同じ体積のリン酸緩衝生理食塩水で置き換えた。定期的に、ペレットを混合し、媒体を除去し、そして、それらを新たなPBSに置き換えた。抗体放出を振とう下37℃で実行した。媒体に放出したベバシズマブの量は、BCA法を用いて決定した。インキュベートし(37℃で1時間)、吸光度を 550〜570 nmで測定し、遊離抗体の量を、ウシ血清アルブミンを用いて標準曲線からの外挿により得た（表８）。
【０２０６】
【表８】
2014511427.tif 000013
【０２０７】
アニオン性吸収性マイクロスフェアからのベバシズマブの持続放出は、初期の爆発的放出することなく、48時間起こった。逆に、抗体の爆発的放出が、金の標準的な化学塞栓製品HepaSphereTM/ QuadraSphereTMにて観察され、最初の1時間で固定された抗体の初期量の約70％が放出した。
【０２０８】
３．放出した抗体のｉｎ  ｖｉｔｒｏ活性：ＨＵＶＥＣ増殖阻害
ヒト臍帯内皮細胞(HUVEC)を、全ての細胞培地添加剤と共に、完全EGM-2培地 (ロンザ)中、1ウェルあたり5000細胞の密度で96ウェルプレート(ヌンク)に播種した。播種1日後、in vitro 放出実験で回収した放出フラクションを、50 ng/mLのマウスVEGF (R&D)を含むEBM-2培地と混合し、HUVEC細胞を、細胞溶解の分析まで3日間培養した。細胞に加えられた放出したベバシズマブの量は100及び500 ng/mLだった。陽性対照として、細胞をAvastin（登録商標）希釈液で処理した。細胞溶解は、培養終了時の細胞培地中の乳酸デヒドロゲナーゼ活性光学密度 (OD) (プロメガ)を測定することにより決定した（表９）。
【０２０９】
【表９】
2014511427.tif 000014
【０２１０】
我々の細胞ベースのアッセイの間、0.5及び1 μg/mLの対照ベバシズマブ (Avastin（登録商標） 25 mg/mL, ロシュ)は、細胞死の事象を示す、細胞培地における細胞内乳酸デヒドロゲナーゼの放出を増加した (p< 0.05)。HUVECからの乳酸デヒドロゲナーゼの漏出の増加は、抗体の処理なしの対照に比べ、PBSでのイオン性吸収性MS#12及び#14のインキュベートの1時間および24時間後に回収したフラクションで有意に観察された (p< 0.05)。MS#12 (500 ng/mL)からの放出した抗体は、同じ量のAvastin（登録商標）対照で測定した細胞生存率を減少した。MS#14から放出した抗体は、1μg/mLの対照抗体が誘導する生物学活性と等しい。これらの結果は、分解性マイクロスフェアからの溶出したベバシズマブが、生物学的活性を保っているということを示す。したがって、吸収性イオン性マイクロスフェアは、機能性の非変性ベバシズマブ抗体を放出する。
【０２１１】
実施例１２：マイクロスフェアに担持したｂＦＧＦ
１．サイトカインの担持
予め水和した100 μLの滅菌マイクロスフェア (100-300 μm)から吸引することにより水を除去した。凍結乾燥したヒトの組み換え塩基性線維芽細胞増殖因子 (rh-bFGF) (フィブラスト、トラフェルミン、科研製薬株式会社(日本、東京))を、pH7に調整した滅菌水に溶解した(0.33 μg bFGF/μL)。マイクロスフェアペレットに50 μLのフィブラスト溶液を加え、穏やかに逆混合した後、粒子とのサイトカイン結合が、4℃で終夜観察された（表１０）。
【０２１２】
【表１０】
2014511427.tif 000015
【０２１３】
アニオン性吸収性マイクロスフェアに担持されたサイトカインは、アニオン性の金の標準的なDCビーズを用いたものに比べて有効である。メタクリル酸を含まない吸収性マイクロスフェア(MS#3及びMS#2)への結合は、メタクリル酸を含むマイクロスフェア (MS#12及びMS#14)で観察されるものよりも効果的であるようである。強力な塩基性タンパク質 (10に近いpI)は、おそらく、メタクリル酸を必要とせず、吸収性マイクロスフェアのいくつかの負電荷のポリマーマトリクスと強力に相互作用する。
【０２１４】
２．マイクロスフェアからのｂＦＧＦ放出の評価
リン酸緩衝生理食塩水 (200 μL) をマイクロスフェアペレットに加え、媒体を定期的に除去し、新しいPBSに置き換えた。サイトカイン放出を37℃で振とう下行った。上澄みの除去を、5分、1時間、24時間及び48時間の時点で実行した。媒体に放出したbFGFの量を、BCA法を用いて決定した。インキュベート(37℃で1時間)後、吸光度を550〜570 nmで測定し、遊離サイトカインの量を、ウシ血清アルブミンを用いた標準曲線からの外挿により導いた（表１１）。ブランクのマイクロスフェアを、BCAアッセイを妨げ得る、マイクロスフェアから放出した物質を評価するために、bFGFを使用せずに同じ方法で処理した。
【０２１５】
【表１１】
2014511427.tif 000016
【０２１６】
bFGFの持続放出を、それぞれのマイクロスフェア（イオン性及び非イオン性吸収性マイクロスフェア）について測定した。MS#12及びMS#2から放出したbFGFの量(μgで)は、DCビーズで達成された溶出と同様であった。
【０２１７】
３．放出したサイトカインのｉｎ  ｖｉｔｒｏ活性
ヒト臍帯内皮細胞(HUVEC)を、全ての細胞培地添加剤と共に、完全EGM-2培地 (ロンザ)中、1ウェルあたり5000細胞の密度で96ウェルプレート (ヌンク)に播種した。播種1日後、in vitro放出実験で回収したフラクションを、何れのサイトカインも含まないEBM-2培地と混合した (条件あたり5ないし8ウェル)。HUVECを細胞増殖の分析までの4日間培養した。細胞増殖の陽性対照として、細胞をフィブラスト溶液 (100 ng bFGF/mL)で処理した。細胞増殖を、BCAアッセイを用いてすべての細胞タンパク質を測定することにより決定した（表１２）。
【０２１８】
【表１２】
2014511427.tif 000017
【０２１９】
HUVECを、bFGFを予め担持したMS#12から得られた放出フラクションの希釈液と共に培養した場合(1時間、24時間及び48時間)、細胞増殖は、細胞培養対照(フィブラストなし)や、ブランクマイクロスフェア (bFGFの担持なし)から回収したフラクションに比べて、初めの一時間から有意に向上した(p< 0.05)。MS#12から溶出したbFGFに誘導される細胞増殖(1時間、24時間及び48時間)は、フィブラスト対照を用いた培養で観察された細胞応答と同等であった(100 ng/mL)。
【０２２０】
逆に、細胞培養対照及びブランクマイクロスフェアとの比較で見られたように、bFGFを担持したDCビーズから回収したフラクションでは、細胞増殖の有意性(p > 0.05)のある誘導は、測定されなかった(5分間、1時間、24時間)。低増殖活性が、フィブラスト対照溶液 (100 ng/mL)にて誘導された増殖より有意に低い、最後に回収したフラクション(48時間)で観察された。
【０２２１】
結論として、分解性マイクロスフェアに吸収されたbFGFは、その生物学的活性を保つが、より良好なbFGFの固定にもかかわらずDC ビーズの場合には活性を保たない。
【０２２２】
実施例１３：マイクロスフェアに担持されたポリプレックス
1．ポリプレックスの形成
5のDNA リン酸塩に対するPEI 窒素のモル比(N/P比)で、25 kDaの分枝ポリエチレンイミン(PEI) とDNAを縮合させた。5%グルコースを含有する水中で、PEIと直鎖状のサケ精子DNA (シグマ)を急速攪拌することにより、DNA/PEI ポリプレックスを、400 μg/mLの最終DNA濃度で調製した。ポリプレックスを、使用前に、少なくとも20分間室温で静置した。
【０２２３】
２．ポリプレックスを担持したマイクロスフェア（１００〜３００μｍ）
水中、100 μLの滅菌マイクロスフェアペレットを、ポリプレックス溶液と混合した。穏やかに撹拌し、試験管を37℃で1時間撹拌しながらオーブンで水平にインキュベートした。マイクロスフェアへのポリプレックス結合を、260 nmで上澄みの吸光度を測定することにより定量化した。対照として、ブランクマイクロスフェアを、DNAを使用せずに同様の方法で処理した（表１３）。
【０２２４】
３．マイクロスフェアから放出したポリプレックスの評価
担持媒体を捨て、リン酸緩衝生理食塩水(200 μL)をマイクロスフェアに加えた。DNAの放出を、振とう下37℃で実行し、PBS培地を5分、1時間及び24時間の時点で除去した。DNAの放出量は、260 nmの吸光度を測定することにより決定した（表１３）。
【０２２５】
【表１３】
2014511427.tif 000018
【０２２６】
DCビーズへのポリプレックスのわずかな結合が観察された一方で、吸収性マイクロスフェアに担持されたポリプレックスは、より多くの結合が観察された(6倍)。ポリプレックスの担持は、粒子の電荷とは無関係であるようである（担持は、メタクリル酸を含むイオン性分解性マイクロスフェア(MS#12及びMS#14)に対しても、メタクリル酸を有さないマイクロスフェア(MS#3及びMS#2)に対しても起こった。）。
【０２２７】
DNAの持続的放出が吸収性マイクロスフェアで測定されている一方で、DCビーズからのDNAの放出は爆発的放出のプロファイルに従い起こった。PLGA架橋剤を含むアニオン性吸収性マイクロスフェアでより急速に放出するようである。他の吸収性マイクロスフェアに関して、約半分の担持DNAが、24時間の緩衝食塩水でのインキュベートの間に溶出した。これらの粒子は、DNAの局所送達のための効率的な担体であり得る。
【０２２８】
実施例１４：２５ｋＤａの分枝ポリエチレンイミンを含むＤＮＡ吸着のための分解性ゲル
１．ＤＮＡのゲルへの担持
生検パンチを使用して、直径6 mmのプラグを様々な量のPEIを含むゲルから調製した。湿潤ゲルのプラグ (約100 mg) を、260 nmでの吸光度がゼロに近くなるまで水で洗浄した。1 mLのサケの精子直鎖DNA (125 μg（1 mLの水中)) を洗浄したゲルのプラグに加えた (2連)。振とう下、37℃でDNAの担持を実行し、2時間のインキュベートの後、DNAの吸着を、260 nmで上澄みの吸光度を測定することによりモニタリングした。 
【０２２９】
２．マイクロスフェアからのＤＮＡ放出の評価
ゲルのプラグに1 mLのリン酸緩衝生理食塩水を加え、インキュベートを振とう下37℃で行った。DNA放出を260 nmで培地の吸光度を測定することにより決定した。対照として、DNAの測定への妨害となるゲルからの物質の放出を決定するために、260 nmにて、無担持DNAゲルのプラグを同じ条件で処理した （表１４）。
【０２３０】
【表１４】
2014511427.tif 000019
【０２３１】
良好なDNA固定効率は、PEIを有さないゲル(G#2)に対して、PEIを含むゲルにて達成された(G#6及びG#7)。
【０２３２】
中性の緩衝生理食塩水における放出実験において、低濃度のPEIを含むゲル(G#6)で爆発的放出が観察されたのに対し、より持続的なDNA放出が達成されたことがわかる。より多くのPEI(1 %, w/w)を含むゲルで達成された(G#7)ことが示された。
【０２３３】
G#6で観察された急速な爆発的放出が、静電相互作用を介してゲルに結合したDNAの溶出に対応し得るのに対して、より多くのPEIを含むゲル(G#7)において、ポリプレックスを形成するために担持したPEIでDNA圧縮がおそらく起こった。ポリプレックスの放出は、おそらく、裸のDNAの溶出より遅い。結論として、吸収性ゲルにおけるPEI濃度を変化させることにより、様々なDNA放出パターンが得ることができた。
【０２３４】
実施例１５：分解性ゲルにおけるタンパク質の非変性取り込み
モデルタンパク質としてウシトリプシン
分解性ゲルからのトリプシン放出の評価
生検パンチを用いて、6 mm直径のプラグ (200 - 300 mg) をゲルから調製した。湿潤ゲルプラグ(二連)に、1 mLのPBS (10 mMリン酸緩衝液、0.9 % NaCl, pH 7.2)を加え、インキュベートを37℃で振とう下行った。トリプシン 活性は、80 μLのトリプシン合成基質 (1 mMベンゾイル-DL-アルギニン 4-ニトロアニリド塩酸塩（50 mM 炭酸水素ナトリウム中）)を20 μLのPBS培地に加え、PBS培地をインキュベート5分、1時間、3時間及び24時間後に除去することにより決定した。放出媒体におけるトリプシン活性を、37℃でインキュベート１時間後に405 nmで測定した。放出媒体におけるトリプシン活性(OD 405 nm)を、膨潤ゲルの質量で標準化した (100 mgのゲルに対するOD405 nm)（表１５）。
【０２３５】
【表１５】
2014511427.tif 000020
【０２３６】
緩衝液中のトリプシンを含む吸収性ゲルのインキュベートは、最大24時間の活性トリプシン分子の放出につながる。媒体中のトリプシン放出は、ゲルに組み込まれた酵素の量に比例した。異なるサンプリング時間(5分間、1時間、3時間、24時間)での酵素活性の測定から、吸収性ゲルに担持されたトリプシンの調製が可能であり、担持することによりタンパク質を不活性化しないことが示された。
【０２３７】
実施例１６：Ｉｎ  ｖｉｔｒｏ細胞毒性分析（表１６）
マイクロスフェアの細胞毒性を、細胞培地で得られたマイクロスフェアの抽出物を用いて分析した。簡潔には、マウス線維芽細胞 (L929)の培養物を、CO2 インキュベーターにおいて、37℃で、10% FBS、2 mM L-グルタミン、50μg/mLストレプトマイシン、50単位/mLペニシリンを含む高グルコースDMEM培地中にて維持した。L929 細胞の回収をトリプシンEDTA (ロンザ)を用いて実行し、継代培養を、5.103細胞/ウェルの密度にて、96ウェルプレート(ヌンク)において開始した。マイクロスフェア抽出物を無菌チューブに準備し、500μLのDMEM中のマイクロスフェアペレットを加え、体積を、細胞培地を用いて3 mLにした。サンプルを撹拌しながら37℃でインキュベートし、マイクロスフェアの分解を完結させた。物質の濃度は、マイクロスフェア抽出物中で約25 mg/mLだった。外科用グローブフラグメント (ラテックス)を、細胞毒性の陽性対照として用いた。細胞播種1日後、細胞培地におけるマイクロスフェア抽出物を、ウシ血清を用いて完結させ、pHを調整し(およそpH 7)、非コンフルエントの線維芽細胞 (6〜8 ウェル/条件)に加えた。外科用グローブを用いて得られた抽出物をまたマウス線維芽細胞に加えた。72時間培養(37℃、5% CO2)し、培地を除去し、細胞を100μLのPBSで洗浄し、0.08% CuSO4 (w/v)及び0.05 % Triton X-100を含む100μL ビシンコニン酸溶液 (BCA タンパク質 試薬, シグマ)を加えた。インキュベート(37℃で1時間)し、吸光度を570 nmで測定し、タンパク質の量をウシ血清アルブミンを用いて標準曲線から外挿により得た（表１６）。
【０２３８】
【表１６】
2014511427.tif 000021
【０２３９】
有意な細胞毒性を、対照培養物と比べて30%より高い細胞成長阻害を誘導する効果として定義した(Lin et al 2009 Colloid Surface B, 70: 132-41)。
【０２４０】
ポリマーマトリクス内の2-メチレン-1,3-ジオキセパン (MDO)の添加(5ないし30%)は、培養中において細胞毒性を誘導しなかった。結論として、マイクロスフェアにおけるMDOの添加は、細胞毒性を誘導せずに分解生成物の分子量を減少させる。 
【０２４１】
吸収性マイクロスフェア中の10%molのメタクリル酸(MS#12及びMS#14)は、メタクリル酸を用いずに得たマイクロスフェア(MS#3及びMS#2)に比べて細胞毒性を示さなかった。逆に、マイクロスフェア(MS#16)への高含有量(50 % mol)でのメタクリル酸の取り込みは、細胞の生存に危険を及ぼすプロトンの大量の放出をもたらす（pHが7を下回った）、急速な吸収に起因する毒性を示す。
【０２４２】
マイクロスフェア (MS#10)へのβ-カルボキシ-エチルアクリレート(10% mol)の添加は、限定的な毒性を導いた；成長阻害は、細胞毒性 (70 %)に対するしきい値に近かった。メタクリル酸は、毒性結果に関してアニオン性マイクロスフェアの調製のためのβ-カルボキシ-エチルアクリレートと比較して、より良好なアニオン性コモノマーであるようである。
【０２４３】
MS#10及びMS#16を除いて、表１２にリストアップされた吸収性マイクロスフェアを用いて得られた細胞増殖値は、70%より高く、それにより、それらが培養細胞に対して非細胞毒性であるとしてみなされる。
【国際調査報告】
2014511427.tif 000023
2014511427.tif 000024
2014511427.tif 000025